(57)【要約】【課題】電話回線と上位回線とをインターフェースする回線技術において、信号品質を維持でき、増設ユニットを制限なく拡張でき、かつ低コストで柔軟に回線制御を行なえて、装置管理を簡易化し、また、回線救済による無停止通信状態を確保できる、チャネルユニットを提供する。【解決手段】基本ユニット＃１が、回線番号を付与され電話回線とフレームを終端処理する回線パッケージ＃１等と、回線パッケージ＃１等に付与した回線番号に基づいて回線パッケージ＃１等の設置情報を管理し異常を検出しうる制御パッケージ１と、各パッケージと電気的に切断された状態で結合するｎ個のスロット７を有し隣接ユニット＃２と電気的に接続された伝送線路部と、制御パッケージ１にて検出された異常の状態に基づいて、各パッケージと伝送線路部との電気的接続又は電気的切断を切り替える切り替え回路４とをそなえて構成する。【選択図】  図３
2004349890.tif 000002
【特許請求の範囲】
【請求項１】
少なくとも１本の通信回線とフレームを送受信するチャネルユニットであって、
該通信回線と複数のフレームを終端処理するとともに異常を検出しうるパッケージ部と、
該パッケージ部と電気的に切断された状態で結合し該チャネルユニットに隣接する他のチャネルユニットと電気的に接続された伝送線路部と、
該パッケージ部にて検出された異常の状態に基づいて、該パッケージ部と該伝送線路部との電気的接続又は電気的切断を切り替える切り替え部とをそなえて構成されたことを特徴とする、チャネルユニット。
【請求項２】
少なくとも１本の通信回線とフレームを送受信するチャネルユニットであって、
識別番号を付与され第１の通信回線と複数のフレームを終端処理する回線パッケージ部と、
該回線パッケージ部に付与した該識別番号に基づいて該回線パッケージ部の設置情報を管理し異常を検出しうる制御パッケージ部と、
該回線パッケージ部および該制御パッケージ部と電気的に切断された状態で結合する複数の結合部を有し該チャネルユニットに隣接する他のチャネルユニットと電気的に接続された伝送線路部と、
該制御パッケージ部にて検出された異常の状態に基づいて、該回線パッケージ部又は該制御パッケージ部と該伝送線路部との電気的接続又は電気的切断を切り替える切り替え部とをそなえて構成されたことを特徴とする、チャネルユニット。
【請求項３】
少なくとも１本の通信回線とフレームを送受信する複数のチャネルユニットをそなえた回線収容装置であって、
該複数のチャネルユニットのうちの第１チャネルユニットが、
該通信回線と複数のフレームを終端処理するとともに異常を検出しうるパッケージ部と、
該パッケージ部と電気的に切断された状態で結合し該複数のチャネルユニットのうちの該チャネルユニットに隣接する第２チャネルユニットと電気的に接続された伝送線路部と、
該パッケージ部にて検出された異常の状態に基づいて、該パッケージ部と該伝送線路部との電気的接続又は電気的切断を切り替える切り替え部とをそなえて構成されたことを特徴とする、回線収容装置。
【請求項４】
少なくとも１本の通信回線とフレームを送受信する複数のチャネルユニットをそなえた回線収容装置であって、
識別番号を付与され第１の通信回線と複数のフレームを終端処理する複数の回線パッケージ部と、
該複数の回線パッケージ部に付与した該識別番号に基づいて該複数の回線パッケージ部の設置情報を管理し該複数の回線パッケージ部のうちのいずれかの回線パッケージ部の異常を検出しうる制御パッケージ部と、
該複数の回線パッケージ部および該制御パッケージ部と電気的に切断された状態で結合する複数の結合部を有し各チャネルユニットに隣接する他のチャネルユニットと電気的に接続された複数の伝送線路部と、
該制御パッケージ部にて検出された異常の状態に基づいて、各回線パッケージ部又は該制御パッケージ部と該複数の伝送線路部との電気的接続又は電気的切断を切り替える切り替え部とをそなえるとともに、
該複数の伝送線路部のうちの１台の伝送線路部と、該複数の結合部の個数以下の個数の回線パッケージ部と、該制御パッケージ部とのそれぞれが基本チャネルユニットとして構成されたことを特徴とする、回線収容装置。
【請求項５】
少なくとも１本の通信回線とフレームを送受信する複数のチャネルユニットをそなえた回線収容装置におけるパッケージ番号認識方法であって、
回線番号を付与され第１の通信回線と複数のフレームを終端処理する回線パッケージ部の設置を検出するパッケージ部設置検出ステップと、
該複数の回線パッケージ基板に付与した該回線番号に基づいて該複数の回線パッケージ基板の設置情報を管理し該複数の回線パッケージ基板のうちのいずれかの回線パッケージ基板の異常を検出しうる制御パッケージ基板が、該パッケージ部設置検出ステップにて検出された該回線パッケージ部と結合された結合部の識別番号を認識する第１認識ステップと、
該回線パッケージ部が、該識別番号認識ステップにて認識された該識別番号を変更する識別番号変更ステップと、
該回線パッケージ部が、該識別番号変更ステップにて変更された識別番号を含むフレームを、該回線パッケージ部と異なる側の隣接する他の回線パッケージ部に送信する送信ステップとをそなえたことを特徴とする、パッケージ番号認識方法。
【発明の詳細な説明】
【０００１】
【発明の属する技術分野】
本発明は、例えば、複数の電話回線とＷＡＮ（Ｗｉｄｅ  Ａｒｅａ  Ｎｅｔｗｏｒｋ）等の上位回線とをインターフェースする回線収容システムに用いて好適な、チャネルユニット，回線収容装置およびパッケージ番号認識方法に関する。
【０００２】
【従来の技術】
近年、インターネットを利用するユーザの増加にともない、通信事業者は、回線収容装置を増設して回線増設を急速に進めている。この回線収容装置は、ユーザからの多数の電話回線を収容できるように設計されている。
ユーザの増加が回線収容装置の収容能力を超える可能性が生じた場合、通信事業者は、種々の方法を用いて回線増設をする必要がある。回線増設の方法は、例えば、単体の回線収容装置の数を増加させる方法、又は各ユニットを後述するカスケード接続する方法が知られている。この回線収容装置の数を増加させる方法は、以下に示す各チャネルユニット（ユニット）の設置可能な回線パッケージ数が装置規模等によって制限を受けるので、増設可能な装置数に限りがある。
【０００３】
このため、多くの通信事業者は、新たにユニットをカスケードケーブルによって接続（カスケード接続）することによって収容可能な回線数を増設しているのである。また、増設されたユニットは増設ユニットと称される。
図１９は回線収容装置５００の概略的な構成図である。この図１９に示す回線収容装置５００は、複数の電話回線と、ＷＡＮ（Ｗｉｄｅ  Ａｒｅａ  Ｎｅｔｗｏｒｋ）等の上位回線とをインターフェースするものであって、基本ユニット（基本チャネルユニット）＃１と、ユニット（チャネルユニット）＃２〜＃ｍ１と（ｍ１は自然数を表す）、ユニット＃ｍ１に接続された増設ユニット（増設チャネルユニット）＃（ｍ１＋１）〜＃（ｍ１＋ｍ２）とをそなえて構成されている。また、各ユニット＃１〜＃（ｍ１＋ｍ２）は、いずれも、カスケードケーブル１１により接続されている。ここで、増設ユニット＃（ｍ１＋１）〜＃（ｍ１＋ｍ２）は、いずれも、ユーザの増加に対応するために、予め設置されていたユニット＃１〜＃ｍ１に、後から追加設置されたものである。
【０００４】
以下の説明において、特に断らない限り、「カスケード接続」，「カスケードケーブル」は次に述べる意味で説明する。
カスケード接続とは、増設ユニット＃（ｍ１＋１）を上位側のユニット＃ｍ１と接続することにより、増設ユニット＃（ｍ１＋１）〜＃（ｍ１＋ｍ２）が、最上位の基本ユニット＃１の制御下（配下又は制御管理下）になることを意味する。
【０００５】
また、カスケードケーブル１１は、隣接するユニット同士を電気的接続（信号接続）するケーブルである。これにより、例えば基本ユニット＃１およびユニット＃２間、又は、ユニット＃ｍ１，増設ユニット＃（ｍ１＋１）間等は電気的に接続されている。
これにより、図１９に示す増設ユニット＃（ｍ１＋１）〜＃（ｍ１＋ｍ２）が基本ユニット＃１の制御下になる。また、基本ユニット＃１は、全てのユニット＃１〜＃（ｍ１＋ｍ２）内の回線パッケージを制御できるようになり、回線収容装置５００は、ユーザの増加に対応するようにしている。
【０００６】
次に、ユニット＃１等の構成について図１９〜図２２を参照して説明する。
図１９に示すユニット＃１は、ｎ−１枚（ｎは２以上の自然数を表す。）の回線パッケージ（回線パッケージ基板）と、通常１枚の制御パッケージ（制御パッケージ基板）１と、バックワイヤードボード（Ｂａｃｋ  Ｗｉｒｅｄ  Ｂｏａｒｄ：ＢＷＢ，以下、バックボードと称する。）４００とをそなえて構成されている。
【０００７】
図２０は図１９に示すユニット＃１の外観図であるが、この図２０に示すバックボード４００は、平板状のボードであって、５枚の回線パッケージ＃１〜＃５と、制御パッケージ１とが垂直状態で挿入されている。そして、各回線パッケージ＃１〜＃５は、１本の電話回線を介してユーザとの間において、フレームを送受信する加入者終端回路基板（加入者終端回路）＃１〜＃５を設けている。
【０００８】
また、制御パッケージ１は、隣接する回線パッケージ＃５から入力された多重化された主信号（例えばユーザ側からのメールデータ，ファイルデータ等）データを変調し、この変調したデータを上位回線インターフェース（上位インターフェース）に対して送信するとともに、上位回線インターフェースからのＷＡＮ等のメールデータ等を受信および復調するものである。制御パッケージ１は、これらの回線パッケージ＃１〜＃５が正常に動作しているかについて監視するようにもなっている。
【０００９】
従って、ユニット＃１が収容できる電話回線数は、多重化されたユーザ数５に回線パッケージ数５を乗じた２５に相当し、回線収容装置５００が収容可能な最大容量はその電話回線数にｍ１を乗じて得られる。なお、ユニット＃２〜＃（ｍ１＋ｍ２）についても同様である。
また、図２１はバックボード４００に設けられたスロット（結合部）を説明するための図である。この図２１に示すバックボード４００は、複数のスロット７が、等間隔で設けられている。各スロット７は、それぞれ、バックボード４００を貫通する細長い長方形の穴に、脱着可能に挿し込まれた（はめ込まれた）オス型コネクタとから構成されている。そして、回線パッケージおよび制御パッケージの一端に設けられたメス型のコネクタと、オス型コネクタとが結合し、電気的に接続され、図２０に示す外観を有するユニット＃１が得られる。なお、各スロット（穴）７には、区切りが２カ所に設けられている。この区切りは汎用のコネクタの形状又は長さに応じて、コネクタを挿入し、かつ固定するためのものである。
【００１０】
これにより、図２２に示すように、回線パッケージ３００および制御パッケージ２５０は、バックボード４００と脱着可能に挿入される。従って、バックボード４００の大きさを拡張し、多数のスロット７を設けることにより、回線増設が可能になるのである。
次に、図２２はユニット＃１を背面から見た斜視図であり、バックボード４００の一方の面は、回線パッケージ３００と制御パッケージ２５０とがスロット７に挿入されている。そして、スロット７を構成するコネクタは、例えば被覆されていない長い金属ピン（コネクタピン）のような導電性のものを複数有し、各金属ピンがバックボード４００を貫通し、これにより、制御パッケージ２５０の端部に設けられたコネクタと、複数の金属ピンとが電気的に接続され、バックボード４００の裏側の面に突き出た金属ピンが、外部ケーブル３１０と接続されている。また、この外部ケーブル３１０の多端は、回線パッケージ３００と電気的に接続されたスロット７の金属ピンと接続され、これにより、制御パッケージ２５０と回線パッケージ３００とが電気的に接続されるようになっている。なお、電気的接続方法は、種々の方法を用いることができる。
【００１１】
また、以下の説明において、フレーム（フレームデータ又は信号）の伝送方向については下り／上りと称し、また、各ユニット間の位置関係については下位（下位側，下位方向，下流又は後段）／上位（上位側，上位方向，上流又は前段）と称する。ここで、下りおよび下位とは図１９に示すユニット＃１からユニット＃ｍ１へ向かう方向であり、また、上りおよび上位とはその逆方向である。
【００１２】
また、各ユニット＃１〜＃ｍ１のうちの動作している制御パッケージ２５０を設けたものは基本ユニットと称される。例えばユニット＃１の制御パッケージ２５０が現用である場合、ユニット＃１が基本ユニット＃１なのである。従って、回線収容装置５００の基本ユニット数は常時１台だけである。
次に、ユニット＃２〜増設ユニット＃（ｍ１＋ｍ２）の通信方法について説明する。
【００１３】
増設ユニット＃（ｍ１＋１）〜＃（ｍ１＋ｍ２）は、カスケード接続されており、制御パッケージ２５０を設けておらず、回線パッケージだけを設けている。そして、増設ユニット＃（ｍ１＋１）〜＃（ｍ１＋ｍ２）の回線パッケージは、いずれも、基本ユニット＃１の制御パッケージ２５０のみによって集中的に制御されるようになっている。
【００１４】
制御パッケージ２５０が設けられていない増設ユニット＃（ｍ１＋１）〜＃（ｍ１＋ｍ２）においては、その増設ユニット＃（ｍ１＋１）〜＃（ｍ１＋ｍ２）の各回線パッケージが出力する主信号（通信データ）フレームが、カスケードケーブル１１を介して、基本ユニット＃１の制御パッケージ２５０に入力される。
一方、増設ユニット＃（ｍ１＋１）〜＃（ｍ１＋ｍ２）は、予備用に制御パッケージ２５０を設けることもでき、例えば増設ユニット＃（ｍ１＋２）に制御パッケージ２５０が設けられた場合は、増設ユニット＃（ｍ１＋２）の各回線パッケージ３００が出力するフレームは、一旦、増設ユニット＃（ｍ１＋２）の制御パッケージ２５０において多重され、この多重フレームが基本ユニット＃１の制御パッケージ２５０に入力されるようになっている。
【００１５】
さらに、制御パッケージ２５０と回線パッケージ３００との接続態様について説明する。
基本ユニット＃１において、制御パッケージ２５０が回線パッケージ３００と通信する方法は、制御パッケージ２５０および回線パッケージ３００（両パッケージ）が１対１接続された場合と、両パッケージが１対Ｎ（Ｎは自然数を表す。）接続された場合とのそれぞれにおいて異なる。この通信方法の相違は、以下に述べる回線パッケージの回線番号（識別番号）に起因する。
【００１６】
ここで、１対１接続とは、例えば１６枚の回線パッケージと１枚の制御パッケージ２５０とが、回線パッケージごとに直接接続されたものである。また、１回線パッケージについて、送信用および受信用の２本の信号線（通信信号線又は物理的配線）が必要な場合は、信号線の本数は２倍になる。回線パッケージ数が例えば１６の場合、３２本の信号線を介して、各回線パッケージと制御パッケージ２５０とが接続される。
【００１７】
これにより、制御パッケージ２５０は、３２本の信号線によって、各回線パッケージを特定又は識別できる。従って、フレームに回線パッケージの回線番号が含まれていない場合においても、制御パッケージ２５０は例えば１６枚のうちの特定の回線パッケージと通信できる。
一方、１対Ｎ接続とは、バス接続であり、制御パッケージ２５０および各回線パッケージは、それぞれ、同一の信号線を共用している。また、１回線パッケージについて信号線が２本（送信／受信）必要な場合において、回線パッケージの枚数にかかわらず、信号線の本数は２本だけであり、これらの２本の信号線がバスラインとして用いられる。そして、各回線パッケージは、いずれも、それらの２本の信号線だけに接続されている。さらに、２本の信号線を伝送するフレームのヘッダには、スロット番号が挿入されるようになっている。
【００１８】
スロット番号とは、各スロット７を特定するために付与された番号である。ここで、金属ピンは、バックボード４００に固定されているので、回線パッケージおよび制御パッケージ２５０のコネクタが、金属ピンを介してスロット７と結合している状態において、通電されると、回線パッケージおよび制御パッケージ２５０は、いずれも、固定的なスロット番号を認識する。すなわち、スロット番号が、機構的に決まるのである。
【００１９】
さらに、機構的にスロット番号が決定される例は、回線パッケージに設けられたスイッチを用いてスロット番号を固定する方法が知られている。
そして、各回線パッケージは各回線パッケージ自身のスロット番号を挿入して制御パッケージ２５０に対してフレームを出力する。また、各回線パッケージは、制御パッケージ２５０から出力されたフレームのうちの各回線パッケージ自身のスロット番号を有するフレームのみを受信する。一方、制御パッケージ２５０は複数のフレームのうちの所望のスロット番号を有するもののみを受信するようになっている。
【００２０】
次に、断線したときの処理について図１９を参照して説明する。
図１９に示す最下位に位置する増設ユニット（最下位増設ユニット）＃（ｍ１＋ｍ２）からユニット＃２までの各ユニット＃（ｍ１＋ｍ２）〜＃２は、いずれも、隣接する上位側のユニット＃（ｍ１＋ｍ２−１）〜＃１とカスケード接続されている。従って、増設ユニット＃（ｍ１＋１）〜＃（ｍ１＋ｍ２）側がユニット＃ｍ１と接続されるポイントは１カ所だけである。
【００２１】
ここで、図１９に示すユニット＃ｍ１と増設ユニット＃（ｍ１＋１）との間のカスケードケーブル１１が「断」状態になると、この障害に対する救済ルート（迂回ルート）が設けられていないので、増設ユニット＃（ｍ１＋１）〜＃（ｍ１＋ｍ２）は、いずれも、ユニット＃ｍ１と通信できなくなる。この場合、保守者によるカスケードケーブル１１の交換又は修復等の復旧が行なわれるまで、回線が停止したままになる。
【００２２】
なお、「救済」とは、通常ルート（通常通信用ルート）においてカスケードケーブル１１の断線等が生じて制御パッケージ２５０と回線パッケージとが通信不可能になった状態において、カスケードケーブル１１の冗長経路により、顧客の通信が停止しない状態（無停止通信状態）を確保することを意味する。
なお、回線数の増加に容易に対応することができる汎用性のある高速伝送装置も提案されている（例えば、特許文献１参照）。この特許文献１には、高速伝送装置を機能別に高次群インターフェース装置と複数の低次群インターフェース装置に分け、これらを共通のラックに支持させている。これにより、回線数の増加等に際して、装置構成の再構築、例えば低次群インターフェース装置の増設が容易になる。
【００２３】
【特許文献１】
特開平６−１３７６７号公報
【００２４】
【発明が解決しようとする課題】
しかしながら、従来の回線収容装置５００は、以下の（Ｑ１）〜（Ｑ６）に示す課題を有する。
（Ｑ１）増設ユニットおよび増設ユニット以外のユニットの接続関係に基づいて、各ユニットの設置位置（収容位置）が決定されるので、増設可能な回線パッケージ数に制限があり、スケーラビリティー（拡張性）に欠ける。例えば、一旦、パッケージをバックボード４００に設置すると、その設置位置が固定されるので、回線収容装置５００は、ユニークな番号管理による回線制御を行なうことができない。なぜならば、機構的な番号割り当てによって、スロット番号のスキップが生じるからである。
【００２５】
すなわち、バックボード４００が５枚の回線パッケージを挿入可能な場合に、そのうちの２番目〜４番目の回線パッケージが脱去されていると、制御パッケージ２５０の認識するスロット番号は、番号１〜５のうちの番号２，３，４がスキップされて、制御パッケージ２５０が認識するスロット番号は、１，５となる。
このため、制御パッケージ２５０は、各スロットに挿入された回線パッケージ＃および制御パッケージ２５０の管理が困難であった。
【００２６】
例えば、スロット番号１，２のスロット７にそれぞれ回線パッケージを挿入された状態において回線収容装置５００の運用が開始された後に、保守者が両回線パッケージをそれぞれ他のスロット番号５，６のスロット７に移し替えた場合、制御パッケージ２５０は、管理テーブルに保持したスロット番号１，２を、スロット番号５，６に変更しなければならず、一意的に（ユニークに）スロット番号を管理できない。
【００２７】
さらに、１対１接続の場合、回線が増設される度に信号線の本数を増設することはできない。
例えばバックボード４００の金属ピン数が例えば４本の場合、スロット番号は、０−１５の１６個だけしか表現できず、１６よりも多くの回線パッケージを設けることができない。また、回線パッケージに設けられたスイッチを用いた場合も同様である。従って、やはりスロット番号の数は、機構的に制限される。
【００２８】
加えて、バス接続された信号線は、物理的な分岐数が増加し、各信号線は、ノイズの影響等を受けて、信号線を通過する信号波形が劣化する。さらに、回線パッケージが増加し信号線が延長されると正常な通信ができなくなる。
従って、上位回線インターフェースをもつ制御パッケージ２５０と、電話回線インターフェースをもつ回線パッケージと、これらの制御パッケージ２５０および回線パッケージを実装するバックボード４００とを有する装置において、回線パッケージを制限なしに増設可能とする技術が期待されている。
【００２９】
（Ｑ２）増設ユニット＃（ｍ１＋１）〜＃（ｍ１＋ｍ２）に制御パッケージ２５０が設けられていない場合は、増設ユニット＃（ｍ１＋１）〜＃（ｍ１＋ｍ２）の各回線パッケージからのフレームが、カスケードケーブル１１を介して例えば基本ユニット＃１の制御パッケージ２５０に入力される。この場合、その制御パッケージ２５０は過大なデータ量のフレームが入力される。従って、制御パッケージ２５０が処理可能なフレームのデータ量を考慮して、増設可能な増設ユニット数が制限される。
【００３０】
さらに、この場合、バックボード４００およびカスケードケーブル１１の信号線は、多数のフレームが重畳してノイズの影響が大きくなる。このため、設計者は、回線収容装置５００について、ノイズの影響を回避する困難な設計を強いられる。
（Ｑ３）前記（Ｑ２）に対して、予備用として、各増設ユニット＃（ｍ１＋１）〜＃（ｍ１＋ｍ２）ごとに制御パッケージ２５０を設ける回線収容方法は、コスト高を招く。
【００３１】
さらに、この方法を用いる場合、回線収容装置５００は、一回線収容装置５００として、複数枚の制御パッケージ２５０についての回線制御が必要となり、複雑になる。
（Ｑ４）増設ユニット＃（ｍ１＋１）〜＃（ｍ１＋ｍ２）の制御パッケージ２５０が故障した場合は、増設ユニット＃（ｍ１＋１）〜＃（ｍ１＋ｍ２）の回線パッケージと、故障した制御パッケージ２５０よりも下位に位置するユニットとは全て異常（通信異常又は伝送異常）になる。ここで、異常とは、例えば制御パッケージ２５０および回線パッケージ＃１〜＃（ｎ−１）の基板故障，基板とバックボード４００との接触不良，コネクタ又はカスケードケーブル１１の抜け，断線等、又は保守のための基板交換等を意味する。
【００３２】
回線収容装置５００に設置して動作可能な制御パッケージ２５０の個数は、２以上にもできる。制御パッケージ２５０の基板自体は、単なる予備用として各ユニット＃１〜＃（ｍ１＋ｍ２）に設置可能である。
これに対して、複数の制御パッケージ２５０が実際に動作可能な状態で使用される装置態様の第１は、１台のユニットが現用系と予備系との２枚の基板を設ける態様である。第２は、回線収容装置５００に設けられた複数のパッケージを複数のグループにグループ化し、グループ毎に負荷分散させて、回線収容装置５００に課される過大な負荷を軽減する方法も知られている。
図２３は制御パッケージ２５０の異常時の通信状態を説明するための図である。この図２３に示す制御パッケージ（ＢＡＳＥ），制御パッケージ（ＣＡＳ１），制御パッケージ（ＣＡＳ２）は、それぞれ、ユニット＃ｍ１，（ｍ１＋１），（ｍ１＋２）に設けられたものであって、１枚の制御パッケージと、（ｎ−１）枚の回線パッケージ＃１〜＃（ｎ−１）とを有する。また、上位の制御パッケージ（ＢＡＳＥ）が、各ユニット＃ｍ１，（ｍ１＋１），（ｍ１＋２）の回線パッケージの全ての動作状態を監視するようになっている。
【００３３】
ここで、例えば制御パッケージ（ＣＡＳ１）が物理的に故障すると、制御パッケージ（ＣＡＳ１）の（ｎ−１）枚の回線パッケージと制御パッケージ（ＣＡＳ２）の（ｎ−１）枚の回線パッケージとは、ともに、制御パッケージ（ＢＡＳＥ）と通信できなくなる。
（Ｑ５）カスケードケーブル１１が断線した場合も、カスケードケーブル１１と接続された増設ユニット＃（ｍ１＋１）〜＃（ｍ１＋ｍ２）の回線パッケージと、その増設ユニットよりも下位に位置する増設ユニット＃（ｍ１＋１）〜＃（ｍ１＋ｍ２）とは全て通信異常になる。
【００３４】
本発明は、このような課題に鑑み創案されたもので、複数の電話回線と上位回線とをインターフェースする回線収容技術において、ノイズ発生および信号波形劣化を回避して信号品質を維持でき、増設ユニットを制限なく拡張でき、かつ低コストで柔軟に回線制御を行なえて、回線収容装置の管理を簡易化し、さらに、回線救済による無停止通信状態を確保できる、チャネルユニット，回線収容装置およびパッケージ番号認識方法を目的とする。
【００３５】
【課題を解決するための手段】
このため、本発明のチャネルユニットは、少なくとも１本の通信回線とフレームを送受信するチャネルユニットであって、通信回線と複数のフレームを終端処理するとともに異常を検出しうるパッケージ部と、パッケージ部と電気的に切断された状態で結合しチャネルユニットに隣接する他のチャネルユニットと電気的に接続された伝送線路部と、パッケージ部にて検出された異常の状態に基づいて、パッケージ部と伝送線路部との電気的接続又は電気的切断を切り替える切り替え部とをそなえて構成されたことを特徴としている（請求項１）。
【００３６】
また、本発明のチャネルユニットは、識別番号を付与され第１の通信回線と複数のフレームを終端処理する回線パッケージ部と、回線パッケージ部に付与した識別番号に基づいて回線パッケージ部の設置情報を管理し異常を検出しうる制御パッケージ部と、回線パッケージ部および制御パッケージ部と電気的に切断された状態で結合する複数の結合部を有しチャネルユニットに隣接する他のチャネルユニットと電気的に接続された伝送線路部と、制御パッケージ部にて検出された異常の状態に基づいて、回線パッケージ部又は制御パッケージ部と伝送線路部との電気的接続又は電気的切断を切り替える切り替え部とをそなえて構成されたことを特徴としている（請求項２）。
【００３７】
さらに、本発明の回線収容装置は、少なくとも１本の通信回線とフレームを送受信する複数のチャネルユニットをそなえた回線収容装置であって、複数のチャネルユニットのうちの第１チャネルユニットが、通信回線と複数のフレームを終端処理するとともに異常を検出しうるパッケージ部と、パッケージ部と電気的に切断された状態で結合し複数のチャネルユニットのうちのチャネルユニットに隣接する第２チャネルユニットと電気的に接続された伝送線路部と、パッケージ部にて検出された異常の状態に基づいて、パッケージ部と伝送線路部との電気的接続又は電気的切断を切り替える切り替え部とをそなえて構成されたことを特徴としている（請求項３）。
【００３８】
そして、本発明の回線収容装置は、識別番号を付与され第１の通信回線と複数のフレームを終端処理する複数の回線パッケージ部と、複数の回線パッケージ部に付与した識別番号に基づいて複数の回線パッケージ部の設置情報を管理し複数の回線パッケージ部のうちのいずれかの回線パッケージ部の異常を検出しうる制御パッケージ部と、複数の回線パッケージ部および制御パッケージ部と電気的に切断された状態で結合する複数の結合部を有し各チャネルユニットに隣接する他のチャネルユニットと電気的に接続された複数の伝送線路部と、制御パッケージ部にて検出された異常の状態に基づいて、各回線パッケージ部又は制御パッケージ部と複数の伝送線路部との電気的接続又は電気的切断を切り替える切り替え部とをそなえるとともに、複数の伝送線路部のうちの１台の伝送線路部と、複数の結合部の個数以下の個数の回線パッケージ部と、制御パッケージ部とのそれぞれが基本チャネルユニットとして構成されたことを特徴としている（請求項４）。
【００３９】
また、本発明のパッケージ番号認識方法は、少なくとも１本の通信回線とフレームを送受信する複数のチャネルユニットをそなえた回線収容装置におけるパッケージ番号認識方法であって、回線番号を付与され第１の通信回線と複数のフレームを終端処理する回線パッケージ部の設置を検出するパッケージ部設置検出ステップと、複数の回線パッケージ基板に付与した回線番号に基づいて複数の回線パッケージ基板の設置情報を管理し複数の回線パッケージ基板のうちのいずれかの回線パッケージ基板の異常を検出しうる制御パッケージ基板が、パッケージ部設置検出ステップにて検出された回線パッケージ部と結合された結合部の識別番号を認識する第１認識ステップと、回線パッケージ部が、識別番号認識ステップにて認識された識別番号を変更する識別番号変更ステップと、回線パッケージ部が、識別番号変更ステップにて変更された識別番号を含むフレームを、回線パッケージ部と異なる側の隣接する他の回線パッケージ部に送信する送信ステップとをそなえたことを特徴としている（請求項５）。
【００４０】
【発明の実施の形態】
以下、図面を参照して本発明の実施の形態を説明する。
（Ａ）本発明の第１実施形態の説明
図１は本発明の第１実施形態に係る回線収容装置の構成図である。この図１に示す回線収容装置９０は、複数の電話回線と、ＷＡＮ等の上位回線とをインターフェースする終端装置であって、カスケードケーブル１１，カスケードケーブル１５と、（ｍ１＋ｍ２）個（ｍ１，ｍ２はともに自然数を表す。）のユニット（チャネルユニット）＃１〜＃（ｍ１＋ｍ２）とをそなえて構成されている。また、ユニット＃１，カスケードケーブル１１，ユニット＃２，…，カスケードケーブル１１，…，ユニット＃（ｍ１＋ｍ２）およびカスケードケーブル１５が接続されて、通信ループを形成している。
【００４１】
以下、ユニット＃１〜＃（ｍ１＋ｍ２），カスケードケーブル１１，１５のそれぞれについて概略的に説明し、その後、詳細な構成等について説明する。
（１）回線収容装置９０の概略的な説明
（１−１）ユニット＃１〜＃（ｍ１＋ｍ２）
図１に示すユニット＃１〜＃（ｍ１＋ｍ２）は、それぞれ、電話回線との間においてフレームを送受信するものであり、ｍ１個のユニット＃１〜＃ｍ１と、ｍ２個の増設ユニット＃１〜＃ｍ２とを有する。
【００４２】
ユニット＃１〜＃ｍ１は、いずれも、回線収容装置９０に元々設けられたものであって、ユニット（後述する基本ユニット＃１）＃１と、ユニット＃２〜＃ｍ１とを有する。
ユニット＃１〜＃ｍ１のうちのユニット＃１は、図３に示すように、電話回線のほかに上位回線ともフレームを送受信するものであって、回線パッケージ（回線パッケージ部，回線パッケージ基板）＃１〜＃（ｎ−１）と（ｎは２以上の自然数を表す）、制御パッケージ（制御パッケージ部，制御パッケージ基板）１と、バックボード（パッケージ固定部）４と、切り替え回路（切り替え部）１４とをそなえて構成されている。
【００４３】
ここで、回線パッケージ＃１〜＃（ｎ−１）は、それぞれ、回線番号を付与され電話回線と複数のフレームを終端処理するものである。終端処理は、例えばフレームの送受信，フレームの集線又はフレームの分配等の処理である。
さらに、制御パッケージ１は、回線パッケージ＃１〜＃（ｎ−１）に付与した回線番号に基づいて回線パッケージ＃１〜＃（ｎ−１）の設置情報を管理し回線パッケージ＃１〜＃（ｎ−１）の異常を検出しうるものである。
【００４４】
そして、制御パッケージ１又は回線パッケージ＃１〜＃（ｎ−１）の基板故障，コネクタ，カスケードケーブル１１等の抜け，断線等が発生した場合、又は保守のための基板交換の場合、これらの回線パッケージ＃１〜＃（ｎ−１）と制御パッケージ１とが、電話回線および上位回線とフレームを終端処理するとともに異常を検出しうるパッケージ部として機能する。
【００４５】
また、バックボード（パッケージ固定部）４は、回線パッケージ＃１〜＃（ｎ−１）および制御パッケージ１（パッケージ部）と結合し電気的に接続された１又はｎ個のスロット（後述する図３参照）とユニット＃に隣接する他のユニットと電気的に接続された接続部とを有する。すなわち、バックボード４は、各パッケージと物理的に接続されている一方、各パッケージと電気的には非接続である。
【００４６】
さらに、切り替え回路１４は、制御パッケージ１にて検出された異常の状態に基づいて、バックボード４の例えばｎ個のスロット７と接続部との電気的接続又は電気的切断をスロット毎に切り替えるものである。この切り替え回路１４は、ユニット＃２からのフレームを受信すると、そのフレームを上位回線とインターフェースする制御パッケージ１に出力するか、又はそのフレームをスルー（バイパス）してカスケードケーブル１５に出力するかを、電気的接続又は電気的切断によって選択するようになっている。また、切り替え回路１４は、その選択をスロット７ごとに管理している。さらに、切り替え回路１４は、そのスロット７に挿入された各パッケージの種別について、回線パッケージ＃１〜＃ｎ又は制御パッケージ１を、これらのパッケージ自身からの信号で知ることができる。
【００４７】
また、ユニット＃１〜＃ｍ１のうちのユニット＃２〜＃ｍ１は、いずれも、ユニット＃１に設けられたものと同一の回線パッケージ＃１〜＃ｎ，バックボード４，切り替え回路１４をそなえて構成されている。ここで、ユニット＃１は、制御パッケージ１および回線パッケージ＃１〜＃ｎの両パッケージを有する。この一方、ユニット＃２〜＃ｍ１は、いずれも、制御パッケージ１を設けずに、回線パッケージ＃１〜＃ｎだけを設けている。
【００４８】
これにより、ユニット＃２の切り替え回路１４は、隣接するユニット＃１又はユニット＃３からのフレームを受信すると、そのフレームをユニット＃２の回線パッケージ＃１〜＃ｎのいずれかに出力するか、又はそのフレームをスルーしてユニット＃３又はユニット＃１に出力するかを、電気的接続又は電気的切断によって選択する。
【００４９】
次に、増設ユニット＃１〜＃ｍ２も、回線パッケージ＃１〜＃ｎ，バックボード４，切り替え回路１４を有する。ここで、増設ユニット＃１は、ユニット＃１〜＃ｍ１のうちのユニット＃ｍ１に接続され、また、増設ユニット＃２〜＃ｍ２は、この増設ユニット＃１の下位側に累積的に接続され、これにより、スタックが構成されるようになっている。
【００５０】
従って、（ｍ１＋ｍ２）個のバックボード４とユニット＃１〜＃（ｍ１＋ｍ２）のうちの隣接するユニット＃１〜＃（ｍ１＋ｍ２）とが、カスケードケーブル（第１の通信ルート）１１を介して電気的に接続されるとともに、ユニット＃１〜＃（ｍ１＋ｍ２）のうちの最下位の増設ユニット（最下位増設ユニット）＃（ｍ１＋ｍ２）とユニット＃１〜＃（ｍ１＋ｍ２）のうちの最上位のユニット＃１とが、カスケードケーブル（第２の通信ルート）１５を介して、電気的に接続されている。すなわち、ユニット＃１とユニット＃（ｍ１＋ｍ２）とを除く各ユニット＃２〜＃（ｍ１＋ｍ２−１）は、それぞれ、バックボード４を介して、隣接する上位のユニットと隣接する下位のユニットとに接続され回線増設されるのである。また、以下、これらの隣接するユニットを隣接ユニットと称する。
【００５１】
なお、各ユニット＃２〜＃ｍ１についての方向も、各ユニット＃２〜＃ｍ１に設けられた制御パッケージ１および回線パッケージ＃１〜＃ｎについても同様である。
（１−２）カスケードケーブル１１
カスケードケーブル１１は、各ユニット（ｍ個の基本ユニット＃１およびｎ個の増設ユニット＃（ｍ１＋１）〜＃（ｍ１＋ｍ２））のうちの隣接するユニット同士を電気的接続（信号接続）するものである。カスケードケーブル１１は、例えば基本ユニット＃１およびユニット＃２間、又は、ユニット＃ｍ１および増設ユニット＃（ｍ１＋１）間等を接続している。これにより、増設ユニット＃（ｍ１＋１）が、上位側のユニット＃ｍ１と接続され、基本ユニット＃１の制御下になる。すなわち、カスケード接続されるのである。そして、複数の下位ユニットからのフレームが上位側のユニットを通過する毎に累積（スタック）されるようになっている。
【００５２】
また、バックボード４に回線パッケージ＃１〜＃ｎ又は制御パッケージ１が挿入されている状態においても、これらの回線パッケージおよび制御パッケージ１は、カスケードケーブル１１又は１５と常時電気的接続されているわけではない。この点において、本発明のユニット＃１〜＃（ｍ１＋ｍ２）は、バックボード４と回線パッケージ＃１〜＃（ｍ１＋ｍ２）又は制御パッケージ１とが常時電気的接続される従来のユニットと異なる。
【００５３】
これにより、通信事業者は、カスケードケーブル１１の本数を増加させずに、回線パッケージ＃１〜＃（ｍ１＋ｍ２）の個数を増加させることができ、また、回線収容装置９０の設計が容易になる。
（１−３）カスケードケーブル１５
カスケードケーブル１５は、図４に示すように、基本ユニット＃１と最下位増設ユニット＃（ｍ１＋ｍ２）とを接続するケーブルであって、救済ルート（迂回ルート）として機能している。また、カスケードケーブル１５は、上りおよび下りの各方向について、データを伝送させるものであって、救済ルート用のカスケードケーブル１５ａと通常ルート用のカスケードケーブル１５ｂとの２本からなる。また、カスケードケーブル１１も、上りおよび下りの各方向に、カスケードケーブル１１ａ，１１ｂとの２本を有する。
【００５４】
制御パッケージ１は、基本ユニット＃１内の回線パッケージ＃１〜＃（ｎ−１）のそれぞれに対して送信した監視フレームについての応答フレームに基づいて異常を検出する検出部と、制御パッケージ１自身と検出部にて検出された異常の位置よりも下位の回線パッケージ＃１〜＃ｎとの通信ルートを、カスケードケーブル１１からカスケードケーブル１５に切り替えるルート切り替え回路とをそなえて構成されている。
【００５５】
なお、検出部は、フレームを送信した後、特定のスロット番号以降の定期監視フレーム（回線パッケージが出力したもの）の応答が受信できなくなったときに、信号線断（カスケードケーブル１１の断）と判断するようにしてもよい。
（２）通常ルートと救済ルート
図２（ａ）は本発明の第１実施形態に係る通常ルートを説明するための図であり、この図２（ａ）に示す最下位増設ユニット＃（ｍ１＋ｍ２）がユニット＃２に対して送信したフレームは、各ユニット＃（ｍ１＋ｍ２−１）…ユニット＃３を経由して、基本ユニット＃１に到達する。なお、この図２（ａ）および次の図２（ｂ）に示すもので、上述したものと同一符号を有するものは同一のものであるのでさらなる説明を省略する。
【００５６】
制御パッケージ１（図１参照）は、カスケードケーブル１５に出力するフレームに書き込む回線番号の順番を、カスケードケーブル１１に出力するフレームに含まれる回線番号の順番と逆に付与する。これにより、通常ルートのｎ番目（最下位）の回線パッケージ＃ｎは、救済ルートの１番目にスロット番号が変更される。
【００５７】
図２（ｂ）は本発明の第１実施形態に係る救済ルートを説明するための図である。この図２（ｂ）に示す最下位増設ユニット＃（ｍ１＋ｍ２）とユニット＃（ｍ１＋ｍ２−１）との間において、カスケードケーブル１１の切断等の障害が発生している。この場合、制御パッケージ１は、回線番号の順番を変更し、この変更に基づいて、最下位増設ユニット＃（ｍ１＋ｍ２）がカスケードケーブル１５を経由し迂回して、フレームを基本ユニット＃１に対して送信する。
【００５８】
これにより、カスケードケーブル１１の断線時は、カスケードケーブル１５を介して最下位増設ユニット＃（ｍ１＋ｍ２）と基本ユニット＃１との間の通信が維持され、無停止通信状態を確保できる。
（３）基本ユニット＃１（最上位ユニット，第１ユニット，ユニット）
（３−１）基本ユニット＃１
図３は本発明の第１実施形態に係る基本ユニット＃１のブロック図であり、基本ユニット＃１を上面から見た模式的な図である。この図３に示す基本ユニット＃１は、例えばＷＡＮ等の上位回線インターフェースと回線インターフェースとに接続され、各フレームをインターフェースするものであって、ｎ−１枚の回線パッケージ＃１〜＃ｎと、１枚の制御パッケージ１と、スロット７と、バックボード４と、上位コネクタ９と、下位コネクタ１０とをそなえて構成されている。
【００５９】
（３−２）回線パッケージ＃１〜＃ｎ
（３−２−１）回線パッケージ＃１〜＃ｎの概略的な機能
回線パッケージ＃１〜＃ｎは、いずれも、回線番号を付与され電話回線と複数のフレームを終端処理するものであって、電気的に１又は複数の電話回線からのフレームの多重化フレームが伝送する１本の電話回線からの信号を終端する。これにより、複数のユーザが収容される。
【００６０】
また、回線パッケージ＃１〜＃ｎの構成は、これらの回線パッケージ＃１〜＃ｎ間で同一である。従って、以下、回線パッケージ＃１について説明し、残りの回線パッケージ＃２〜＃ｎについての説明を省略する。
ここで、回線パッケージ＃１は、回路パターンを形成された回路基板であり、その回路基板の一端に、コネクタが設けられ、このコネクタがバックボード４上のスロット７（上面からみてＵ字状に表示されているもの）と結合することにより、ユニット内に固定されている。
【００６１】
（３−２−２）インクリメント処理およびデクリメント処理
インクリメント処理について、回線パッケージ＃１は、バックボード４に設置されると、スロット番号を「１」にしたフレームを回線パッケージ＃１自身が制御パッケージ１側に対して出力する。出力されたフレームは、隣接する回線パッケージ＃２にて受信され、回線パッケージ＃２は、フレームのスロット番号を１つインクリメントしてさらに隣接する回線パッケージ＃３に出力するようになっている。さらに、回線パッケージ＃１は、隣接する回線パッケージ＃２から受信した上り信号のスロット番号を１つインクリメントするとともに、フレームに自らの上り信号をスロット番号「１」としてそのフレームに多重して送信する。
【００６２】
このスロット番号は、受信フレームが基本ユニット＃１の制御パッケージ１に到達したときにおいて、制御パッケージ１が、そのスロット番号によって制御パッケージ１から何スロット下り側にいるか否かを認識できる。
従って、インクリメント処理によって、例えば回線パッケージ＃１に隣接する回線パッケージ＃２がない場合においても、保守者は、回線パッケージ＃１〜＃ｎをバックボード４に挿入でき、また、隣接する回線パッケージ＃２がない状態にして回線パッケージ＃１を脱去することも可能である。
【００６３】
デクリメント処理について、例えば回線パッケージ＃２は、隣接する回線パッケージ＃１から受信した下り信号のスロット番号をチェックし、「１」であれば回線パッケージ＃２自身に対するフレームと認識し、そうでない場合は、スロット番号を１つデクリメントする。
回線パッケージ＃２〜＃ｎは、隣接する回線パッケージ＃１〜＃（ｎ−１）から受信した下り信号から、回線パッケージ＃２〜＃ｎ自身に対するフレームと他の回線パッケージ＃１〜＃（ｎ−１）に対するフレームとを分離し、他の回線パッケージ＃１〜＃（ｎ−１）に対するフレームは、隣接する回線パッケージに送信する。さらに、回線パッケージは、回線パッケージ＃２〜＃ｎへの下り信号に、認識しているスロット番号を付加され送信する。
【００６４】
次に、図４を参照して、回線パッケージ＃１と制御パッケージ１とについて設定する。
図４は本発明の第１実施形態に係る基本ユニット＃１の要部を示す図であり、制御パッケージ１と制御パッケージ１に隣接する回線パッケージ＃１との接続部分を詳細に表示したものである（なお、バックボード４の表示を省略している。）。この図４に示す基本ユニット＃１の回線パッケージ＃１は、回線インターフェース処理部３０と、一対のデータ分離部（通常時）３１ａ，データ分離部（救済時）３１ｂとをそなえて構成されている。ここで、回線インターフェース処理部３０は、電話回線を多重伝送された回線データ（上りデータ）を受信および復調するとともに、隣接する回線パッケージ＃２又は制御パッケージ１からのＷＡＮのデータを変調および送信するものである。
【００６５】
また、データ分離部（通常時）３１ａおよびデータデータ分離部（救済時）３１ｂは、それぞれ、通常時および救済時における回線パッケージ＃２からの多重化データを、分離して複数のユーザに対するデータを回線インターフェース処理部３０に対して出力するものである。
そして、各回線パッケージ＃１〜＃（ｎ−１）と制御パッケージ１とが、電話回線および上位回線と複数のフレームを終端処理（集線および分配）するとともに異常を検出しうるパッケージ部として機能している。
【００６６】
従って、回線パッケージ＃１および制御パッケージ１は、いずれも、上りおよび下りのそれぞれについて、救済用および通常用の各ルートを有する。これにより、信号線の数が減少し、信号波形の劣化を回避され、信号線のノイズも防止される。
（３−３）制御パッケージ１
（３−３−１）制御パッケージ１の機能
制御パッケージ１は、上記の主信号系を処理するものであり、隣接する回線パッケージ＃２と、最下位増設ユニット＃（ｍ１＋ｍ２）（図示省略）からの多重化されたＷＡＮ等のデータを変調および送信するとともに、上位回線からのＷＡＮ等のデータを（下りデータ）を受信および復調するものである。ここで、主信号の一例は、ユーザが通信するメールおよびインターネットの各サイトに設けられたサーバ（図示省略）からのファイルおよびメールデータ等の通信データである。
【００６７】
具体的には、制御パッケージ１は、上位回線と回線パッケージ＃２とをインターフェースする主信号（通信データ）系の処理機能と、各回線パッケージ＃２〜＃ｎの状態監視，障害検出および障害検出の通知等の制御系の処理機能とを有し、データ多重部３２ａと、データ分離部３２ｂと、上位回線インターフェース処理部３２とをそなえて構成されている。
【００６８】
ここで、データ多重部３３ａは、主信号系について、下位の各回線パッケージ＃２〜＃ｎから送信された上位回線に対する上り信号を多重して、上位回線インターフェース処理部３２に出力するものであり、また、データ分離部３３ｂは、制御系について、上位回線インターフェース処理部３２から出力されたＷＡＮ等の多重化されたデータを分離して、ユニット＃２〜＃（ｍ１＋ｍ２）のいずれかに対して出力するものである。上位回線インターフェース処理部３２は、上位のＷＡＮ（および上位の各回線パッケージ＃１〜＃ｎ）から送信された下り信号の受信および復調し、かつ復調されたデータに含まれる多重化データを分離又は配信してデータ分離部３３ｂに出力するとともに、データ多重部３３ａから出力された多重化信号を変調および送信するものである。
【００６９】
さらに、制御パッケージ１の制御系の機能について詳述する。
制御パッケージ１の制御系の機能は、（ａ）各回線パッケージ＃１〜＃ｎの状態監視と、（ｂ）障害検出の保守者への通知と、（ｃ）保守者による設定の受付処理と、（ｄ）管理テーブル（図示省略）の作成および更新との主に４機能である。
【００７０】
ここで、（ａ）の各回線パッケージ＃１〜＃ｎの状態監視とは、回線パッケージ＃１〜＃ｎの動作について正常又は異常を監視することである。状態監視の方法例は、制御パッケージ１は、検査中（検査対象）の回線収容装置９０に対して、定期監視用の監視フレーム（制御用フレーム）を送信し、その後、回線収容装置９０においてその監視フレームについて折り返された信号を受信することにより、リンクの確立を確認する。
【００７１】
次に、（ｂ）の障害検出の保守者への通知とは、制御パッケージ１が、回線パッケージ＃１〜＃ｎの異常を発見したときに、その障害が発生した回線パッケージ＃１〜＃ｎの番号を回線収容装置９０の各ユニット＃２〜＃（ｍ１＋ｍ２）に通知することである。回線収容装置９０の保守者は、この通知を例えば音（音声）又は表示等によって認識し、この通知に基づいて回線収容装置９０の設定を変更する。
【００７２】
さらに、（ｃ）の保守者による設定の受付とは、制御パッケージ１が、各回線パッケージ＃１〜＃ｎの例えば設置順番等を、他の回線パッケージ＃１〜＃ｎに通知し、自動設定するための機能である。具体的には、制御パッケージ１は、種々の設定内容のうちの保守者が直接回線パッケージ＃１〜＃ｎ毎に設定する設定用のデータ（設定情報データ）を入力され、そのデータを所望の回線パッケージ＃１〜＃ｎに対して自動設定するのである。
【００７３】
これにより、保守者の手作業が排除され、特に、回線パッケージ＃１〜＃ｎ数が多い場合は、この設定受付機能によって、回線収容装置９０の適切な運用が可能になる。さらに、この設定受付機能によって、各ユーザの電話回線と直接接続される回線パッケージ＃１〜＃ｎの各々の設置位置又は複数の回線パッケージ＃１〜＃ｎの設置順番等が正確に管理される。
【００７４】
（ｄ）の管理テーブルの作成および更新とは、回線増設のためのものである。例えば、保守者が増設ユニット＃（ｍ１＋１）〜＃（ｍ１＋ｍ２）のスロットのいずれかに新規な回線パッケージ＃（ｎ＋１）を挿入すると、制御パッケージ１は、新規に増設ユニット＃（ｎ＋１）が設置されたことを認識し、例えばバックボード４に設けられたスロット７のスロット番号および回線パッケージ＃１〜＃ｎの個数等の情報を、管理テーブルに作成し、更新するのである。すなわち、制御パッケージ１は、回線パッケージ＃１〜＃ｎのそれぞれと通信することにより、回線パッケージ＃１〜＃ｎのそれぞれの回線番号を付与する。
【００７５】
従って、（ｄ）と上記（ｂ）とに基づいて、制御パッケージ１は、基本ユニット＃１の回線パッケージ＃１〜＃（ｎ−１）に付与した回線番号に基づいて回線パッケージ＃１〜＃（ｎ−１）の設置情報を管理し回線パッケージ＃１〜＃（ｎ−１）の異常を検出しうる。
（３−３−２）制御パッケージ１の設置
制御パッケージ１は、主信号および制御信号を処理する回路基板である。制御パッケージ１は、回線収容装置９０の各ユニット＃２〜＃（ｍ１＋ｍ２）について１枚設けられており、その回路基板の一端にスロットと結合するためのコネクタを設け、コネクタを介してバックボード４に固定されている。従って、回線収容装置９０は、制御パッケージ１をｍ１枚有する。これらのｍ１枚の制御パッケージ１のうちの実際に動作する制御パッケージ１は、後述する制御信号の送受信による制御権の取り合いを経て決定されるようになっている。
【００７６】
ここで、ｍ１枚の制御パッケージ１から選択される制御パッケージ１は、回線収容装置９０の動作モードに応じて異なる。
図５（ａ）は本発明の第１実施形態に係る制御パッケージ１が１枚設けられた場合の回線収容装置９０の構成例を説明するための図である。この図５（ａ）に示す回線収容装置９０は、ユニット＃１〜＃１０と、増設ユニット＃１１〜＃１５とから構成され、そして、制御パッケージ２５０（制御ＰＫＧ）１が、これらのユニット＃１〜＃１５の全てについて、電話回線および上位回線のインターフェース処理および各回線パッケージ＃１〜＃ｎの状態監視等を行なっている。
【００７７】
これにより、図５（ａ）に示す回線収容装置９０の管理は、１カ所に集中して行なえる。
また、図５（ｂ）は本発明の第１実施形態に係る制御パッケージ１が例えば３枚設けられた場合の回線収容装置９０の構成例を説明するための図である。この図５（ｂ）に示す回線収容装置９０の一例は、４台のユニット＃１〜＃４からなる第１グループと、７台のユニット＃５〜＃１１からなる第２グループと、４台のユニット＃１２〜＃１５からなる第３グループとを有する。
【００７８】
そして、これらの第１グループ〜第３グループ毎に、各グループに属するユニットを制御する制御パッケージ１が設けられている。例えば、第１グループの制御パッケージ１は、ユニット＃１〜＃４についてインターフェース処理および状態監視等を行なっている。残り２個のグループについても同様である。
これにより、図５（ｂ）に示す回線収容装置９０の各ユニット＃１〜＃１５の処理負荷が分散される。
【００７９】
従って、回線パッケージ＃ｍ１〜＃（ｍ１＋ｍ２）又はバックボード４には、スロット番号を識別する機構が設けられていない。そして、この状態において、回線パッケージ＃１〜＃ｎがバックボード４に挿入され、回線パッケージ＃１〜＃ｎが制御パッケージ１と通信することによってスロット番号が確定する。
（３−３−３）制御パッケージ１の制御権
上記のように、集中動作モード又は分散動作モードのいずれにおいても、実際に制御パッケージ１として動作する制御パッケージ１は、全てのユニット＃１〜＃（ｍ１＋ｍ２）に１枚又は各グループに１枚だけである。
【００８０】
従って、集中動作モードにおいて、例えば基本ユニット＃１は、ｎ枚のパッケージ基板を設け、ｎ枚のうちのｎ−１枚を回線パッケージ＃１〜＃（ｎ−１）として割り当てるとともに、ｎ枚のうちの１枚を制御パッケージ１として割り当てている。
なお、回線パッケージ＃１〜＃ｎおよび制御パッケージ１の詳細な構成については後述する。
【００８１】
（３−３−４）通常ルートケーブル断の発生時における通信方法の説明
次に、図６，図７および図８を参照して通常ルートケーブルが切断された場合に、救済ルートを用いた通信方法を、上りおよび下りについて説明する。これらの図６〜図８にそれぞれ示す符号で、上述したものと同一符号を有するものは、それらと同一のもの又は同一機能を有するものである。
【００８２】
図６は本発明の第１実施形態に係る通常ルートケーブル断による救済ルートを用いた下りの通信方法を説明するための図である。この図６に示す基本ユニット＃１の制御パッケージ１は、正常時、回線パッケージ＃１から回線パッケージ＃ｎの下り方向にフレームを出力し、その出力フレームは、カスケードケーブル１１を介して、下り方向の各増設ユニット＃（ｍ１＋１）〜＃（ｍ１＋ｍ２）に中継される。そして、基本ユニット＃１の制御パッケージ１は、増設ユニット＃（ｍ１＋１）の回線パッケージ＃ｎに対するフレームに、スロット番号「ｍ１＊ｎ＋（ｎ−１）」を書き込む。このｍ１およびｎは、それぞれ、ユニット＃２〜＃ｍ１のユニット個数および各ユニット＃２〜＃ｍ１に設けられた回線パッケージ＃１〜＃ｎの個数を表し、また、ｎ−１は基本ユニット＃１の回線パッケージ＃１〜＃（ｎ−１）の個数である。すなわち、このスロット番号は、基本ユニット＃１からユニット＃ｍ１間に設けられた全ての回線パッケージ＃１〜＃ｎの個数を表す。
【００８３】
ここで、増設ユニットｍ１のカスケードケーブル１１に、断線等の障害が発生すると、そのカスケードケーブル断の場所の外側（増設ユニットからみて下り側）に設けられた回線パッケージ＃１〜＃ｎは、救済ルートのカスケードケーブル１５を用いて、下り信号を送信する。この場合において、基本ユニット＃１の制御パッケージ１は、フレームのスロット番号を「１」に書き替えて出力する。このスロット番号「１」は、制御パッケージ１が管理している回線パッケージ＃１〜＃ｎの最大値に相当する。
【００８４】
これにより、カスケードケーブル１１が断線した場合において、制御パッケージ１は、制御パッケージ１の制御下の各回線パッケージ＃１等および増設ユニット＃（ｍ１＋１）〜＃（ｍ１＋ｍ２）と通信できる。
図７は本発明の第１実施形態に係る通常ルートケーブル断による救済ルートを用いた上りの通信方法を説明するための図である。ここで、最下位の増設ユニット＃（ｍ１＋ｍ２）と、増設ユニット＃（ｍ１＋ｍ２）の１つ上位の増設ユニット＃（ｍ１＋ｍ２−１）との間において、カスケードケーブル１１に断線等の障害が発生すると、そのカスケードケーブル断の場所の外側に位置する例えば増設ユニット＃（ｍ１＋ｍ２）の回線パッケージ＃１は、上り信号を、救済ルート（カスケードケーブル１５）を用いて基本ユニット＃１の制御パッケージ１に送信する。制御パッケージ１は、このスロット番号「１」を制御パッケージ１自身が管理している最大値と認識して受信する。
【００８５】
従って、カスケードケーブル１１が断線した場合において、制御パッケージ１の制御下の各回線パッケージ＃１〜＃ｎおよび増設ユニットは、迂回ルートを通り、上り側の制御パッケージ１と通信できる。
また、本発明のパッケージ番号認識方法は、電話回線，ＷＡＮ等の上位回線とフレームを送受信する各ユニット＃１〜＃（ｍ１＋ｍ２）における、パッケージ番号認識方法である。
【００８６】
制御パッケージ１は、回線番号を付与され電話回線とフレームを終端処理する回線パッケージ＃１〜＃ｎの挿入を検出する（挿入検出ステップ）。
そして、回線パッケージ＃１〜＃ｎに付与した回線番号に基づいて回線パッケージ＃１〜＃ｎの設置情報を管理し回線パッケージ＃１〜＃ｎの異常を検出しうる制御パッケージ１が、挿入検出ステップにて検出された回線パッケージ＃１〜＃ｎと結合し電気的に接続されたスロット番号を認識する（第１認識ステップ）。
【００８７】
次に、回線パッケージ＃１〜＃ｎが、第１認識ステップにて認識された回線番号を変更し（識別番号変更ステップ）、識別番号変更ステップにて変更された回線番号を含むフレームを、回線パッケージ＃１〜＃ｎに隣接する他の回線パッケージ＃１〜＃ｎに送信する（送信ステップ）。
このように、本発明の回線収容装置９０は、通常ルートが断線した場合においても、救済ルートを用いることにより、上りおよび下りの両方向についての通信切断を回避できる。
【００８８】
（３−４）バックボード４
バックボード４（図１参照）は、回線パッケージ＃１〜＃（ｎ−１）および制御パッケージ１と電気的に切断された状態で結合しユニット＃１〜＃（ｍ１＋ｍ２）のうちの基本ユニット＃１に隣接するユニット（第２ユニット）＃２と電気的に接続されたものである。また、後述する図８〜図１１に示すように、バックボード４の内部には、信号線（例えば基板の配線パターン）が多数設けられており、この多数の信号線が、基本ユニット＃１に隣接するユニット＃２と電気的に接続された伝送線路部として機能している。
【００８９】
バックボード４は、バックボード４の一方の面に例えばスロットを複数個設けている。各スロットは、いずれも、導電性部材からなり、また、回線パッケージ＃１〜＃ｎと制御パッケージ１とを挿入することにより、各パッケージがバックボード４に対して垂直姿勢で並列して固定されるようになっている。また、回線パッケージ＃１〜＃ｎ等の端部には、スロットと電気的に接続可能であり基板上に固定されたコネクタが設けられている。
【００９０】
さらに、回線パッケージ＃１〜＃ｎおよび制御パッケージ１の各基板のコネクタは同一形状であり、これにより、回線パッケージ＃１〜＃ｎおよび制御パッケージ１が、バックボード４のスロットを共用している。
このバックボード４は、例えば基本ユニット＃１のボディ等に固定されており、回線パッケージ＃１〜＃ｎおよび制御パッケージ１を固定する機能と、カスケードケーブル１１，１５との間にて電気信号を伝送する機能とを有する。
【００９１】
さらに、バックボード４は、内部に複数のスイッチ（切り替え部，切り替え回路）と、隣接する上位側ユニットのバックボード４と接続されるカスケードケーブル用の上位コネクタ９と、隣接する下位側ユニットのバックボード４と接続されるカスケードケーブル用の下位コネクタ１０とをそなえて構成されている。これにより、バックボード４は、カスケードケーブル１１，１５を介して隣接するバックボード４と電気的に電気的接続され、電気信号を伝送する機能が実現される。
【００９２】
従って、バックボード４と回線パッケージ＃１〜＃ｎのいずれか又は制御パッケージ１とは、固定接続されずに、スイッチによって、接続（オン）又は非接続（オフ又はスルー）が切り替えられる。
そして、このように、バックボード４の全スロットに、回線パッケージ＃１〜＃ｎ又は制御パッケージ１が挿入された状態において、各回線パッケージ＃１〜＃ｎ又は制御パッケージ１と、隣接するユニットとの接続が、動的に切り替え可能になっている。
【００９３】
従って、回線増設のために、保守者が回線パッケージ＃１〜＃ｎ等を手作業で挿入および脱去せずに、接続又は非接続を切り替えられる。
なお、最上位の基本ユニット＃１〜＃（ｍ１＋ｍ２）のバックボード４と、増設ユニット＃１〜＃（ｍ１＋ｍ２）のバックボード４とが共用されて構成されてもよく、このようにすれば、一層、作業効率が向上する。
【００９４】
これらに加えて、各回線パッケージ＃１〜＃ｎおよび制御パッケージ１のコネクタが同一形状なので、保守者は、各パッケージを挿入する位置又は順番等を考慮せずに挿入でき、そして、電気的な切り替えによって各パッケージの接続又は非接続を行なえる。このため、制御パッケージ１は、各パッケージについて、一意的に管理できるようになる。
【００９５】
このようにして、柔軟な回線制御が図れ、各ユニット＃１〜＃（ｍ１＋ｍ２）の管理が簡素化される。
また、スケーラビリティーおよびコストの両面について優れており、通信事業者が増設を希望するときに即応でき、信頼性の高い回線収容装置９０を提供できる。
【００９６】
（３−５）切り替え回路（切り替え部，信号切り替え回路）１４
バックボード４は、回線パッケージ＃１〜＃（ｎ−１）又は制御パッケージ１にて検出された異常の状態に基づいて、回線収容装置９０が有する全てのバックボード４に設けられたｎ個のスロット７と接続部との電気的接続又は電気的切断をスロット７毎に切り替える切り替え回路１４を有する。この切り替え回路１４は、回線パッケージ＃〜＃（ｎ−１）のうちのいずれかより出力される制御信号に基づいて、隣接するユニット＃２からの受信信号を、回線パッケージ＃〜＃（ｎ−１）に取り込むか、又はスルーさせて上位回線側に出力する。
【００９７】
切り替え回路１４は、例えば９個のスイッチ（後述する図８〜図１１等参照）を有する。また、バックボード４の各スイッチは連動し、受信信号を回線パッケージ＃１〜＃ｎ側に入力するか、又は受信信号を隣接するユニットのバックボード４に入力するかを、回線パッケージ＃１〜＃ｎからの制御信号に基づいて切り替える。
【００９８】
そして、各スイッチが連動して、各パッケージとバックボード４との電気的接続について接続又は切断を切り替えることにより、回線パッケージ＃１〜＃ｎが正常な場合（実装状態）は、回線パッケージ＃１〜＃ｎ側に切り替えし、また、回線パッケージ＃１〜＃ｎのいずれかがバックボード４から外されている場合（脱去状態，脱抜状態又は抜去状態）又はいずれかの回線パッケージ＃１〜＃ｎが故障している場合（故障状態）は、その故障した回線パッケージ＃１〜＃ｎを電気的に非接続状態にする（スルー又はバイパス）ように切り替える。
【００９９】
これにより、保守者は、回線パッケージ＃１〜＃ｎを自由に挿入および脱去が可能である。また、スロットごとに、パッケージ方向への出力、又はスルーして隣接パッケージ方向への出力が相互に切り替えられる。
このように、（ｍ１＋ｍ２）個のバックボード４のうちの１台のバックボード４と、スロット７の個数（例えばｎ個）以下の個数の回線パッケージ＃１〜＃（ｎ−１）と、制御パッケージ１とのそれぞれが基本ユニット＃１〜＃（ｍ１＋ｍ２）として構成されている。
【０１００】
（４）増設ユニット＃（ｍ１＋１）〜＃（ｍ１＋ｍ２）
（４−１）増設ユニット＃（ｍ１＋１）〜＃（ｍ１＋ｍ２）の構成
増設ユニット＃（ｍ１＋１）〜＃（ｍ１＋ｍ２）は、最下位増設ユニット（ｍ１＋ｍ２）の下位側に接続され、ユニット＃１〜＃１に設けられた回線パッケージ＃１〜＃ｎ数を超えた回線数を収容するためのものであって、ｎ−１枚の回線パッケージ＃１〜＃ｎと、スロット７と、バックボード４と、上位コネクタ９と、下位コネクタ１０とをそなえて構成されている。ここで、増設ユニット＃（ｍ１＋１）〜＃（ｍ１＋ｍ２）は、基本ユニット＃１が有する制御パッケージ１を設けておらず、回線パッケージ＃１〜＃ｎのみを設けている。なお、これらの符号のうちの上述したものと同一のものはそれらのものと同一であり重複した説明を省略する。
【０１０１】
増設ユニット＃（ｍ１＋１）〜＃（ｍ１＋ｍ２）には、いずれも、制御パッケージ１が設けられていないので、全て通信異常に陥ることが回避されるようになっている。すなわち、障害又は故障が発生した場合において、増設ユニット＃（ｍ１＋１）〜＃（ｍ１＋ｍ２）は、その制御下にある回線パッケージ＃１〜＃ｎと増設ユニット＃（ｍ１＋１）〜＃（ｍ１＋ｍ２）との間における通信不可能状態を通信状態に戻す処理をする。
【０１０２】
また、制御パッケージ１が設けられていないので、回線収容装置９０の制御が簡素化され、これにより、増設ユニットが回線収容装置９０に追加されるほど回線コスト（単価）を低廉にすることができる。
また、回線パッケージ＃１〜＃（ｎ−１）と制御パッケージ１とが、バックボード４のスロット７を共用するようになっており、増設ユニット＃（ｍ１＋１）〜＃（ｍ１＋ｍ２）と基本ユニット＃１とは、同一のバックボード４に設置でき、さらなるコストメリットが可能になる。
【０１０３】
このように、（ｍ１＋ｍ２）個のバックボード４のうちの１台のバックボード４と、スロット７の個数以下の個数の回線パッケージ＃１〜＃ｎとのそれぞれが増設ユニット＃１〜＃（ｍ１＋ｍ２）として構成されている。
（４−２）回線番号の決定方法
増設ユニット＃（ｍ１＋１）〜＃（ｍ１＋ｍ２）の全てが、制御パッケージ１の制御下になった状態において、増設された回線パッケージｍ２個について回線番号を決定する必要がある。
【０１０４】
回線番号の決定方法は、最下位増設ユニット＃（ｍ１＋ｍ２）の回線パッケージｎ１が基本ユニット＃１に対して信号を送信すると、基本ユニット＃１の制御パッケージ１は、その信号に含まれる回線番号「（ｍ１＋ｍ２）＊ｎ１＋（ｎ１−１）」（＊は乗算を表す。）に基づいて送信元の回線パッケージ＃１〜＃ｎのいずれかであることを知る。すなわち、ｍ２個の増設ユニット＃（ｍ１＋１）〜＃（ｍ１＋ｍ２）の回線パッケージ＃１〜＃ｎの全枚数と、基本ユニット＃１のｎ−１枚の回線パッケージ＃１とにより送信元の回線パッケージ＃１〜＃ｎのうちのいずれかが特定される。従って、制御パッケージ１は、増設ユニット＃（ｍ１＋１）〜＃（ｍ１＋ｍ２）を制御下にして制御できる。
【０１０５】
また、回線パッケージ＃１〜＃ｎ又はバックボード４には、従来の装置に設けられていたスロット番号を識別する機構が設けられていない。一方、本発明の回線収容装置９０は、回線パッケージ＃１〜＃ｎ又は制御パッケージ１をバックボード４に設けることにより、制御パッケージ１と通信し、スロット番号を確定する。
【０１０６】
このように、回線収容装置９０は、回線インターフェースとしての電話回線と、上位回線インターフェースとしてのＷＡＮとの両方と通信でき、ユーザが増加した場合においても多数の電話回線を確保でき、故障等の発生に対して正常な通信状態を維持することができる。
以下、回線パッケージ＃１〜＃ｎ，バックボード４および制御パッケージ１の構成について詳述する。
【０１０７】
（５）回線パッケージ＃１〜＃ｍ１の構成
図８は本発明の第１実施形態に係る回線パッケージ＃１のブロック図であり、また、回線パッケージ＃２〜＃ｍ１は、いずれも回線パッケージ＃１と同一構成なので回線パッケージ＃１を用いて説明する。なお、回線パッケージ＃１と接続されたバックボード４の機能ブロックが併せて表示されている。
【０１０８】
この図８に示す回線パッケージ＃１は、回線インターフェース１００と、回線制御部１０１と、アドレス付加部１０２と、定期監視部１０３と、初期設定処理部１０４と、データ結合部１０５と、上りアドレス処理部（第１アドレス処理部）１０６と、セレクタ（ＳＥＬ）１０７，１０８，１１１，１１２と、アドレス監視部１０９と、下りアドレス処理部（下りアドレス処理部）１１０と、実装情報保持部１１３と、パッケージ障害処理部１１４と、ＯＲ回路１１５，１１６とをそなえて構成されている。
【０１０９】
（５−１）回線インターフェース１００
回線インターフェース１００は、電話回線からのフレームと回線収容装置９０におけるフレームとを変換（終端）し、回線収容装置９０および電話回線をインターフェースするものである。また、この回線インターフェース１００は、以下に説明する３種類の通信データ，初期設定フレーム又は定期監視フレームを入力される。
【０１１０】
（５−２）回線制御部１０１
回線制御部１０１は、回線インターフェース１００において終端されたフレームが、通常ルート又は救済ルートからのものである場合に、各フレームについての通常ルート用のスロット番号又は救済用スロット番号を割り当てし、スロット番号（通常ルート用のスロット番号又は救済用スロット番号）を出力するものである。
【０１１１】
（５−３）アドレス付加部１０２
アドレス付加部１０２は、回線制御部１０１から出力された通常ルート用のフレーム又は救済ルート用のフレームにスロット番号を付加して出力するものである。アドレス付加部１０２が回線インターフェース１００から入力されるフレームは、全て主信号（通信データ）であり、アドレス付加部１０２は、フレームにスロット番号１を付与するだけである。
【０１１２】
これにより、ユニット間において、カスケードケーブル１１の故障，抜け落ち又は切断が発生すると、通信ルートは、救済ルートのカスケードケーブル１５に切り替えられ、故障したカスケードケーブル１１の管理下に属する回線パッケージ＃１〜＃ｎとのフレームを救済ルートに出力することにより正常な通信が確保される。
【０１１３】
（５−４）セレクタ１０８，１１１
セレクタ１０８，１１１は、ともに、バックボード４から回線パッケージ＃１に対して入力されるフレームについて選択するものであり、隣接パッケージからの通常ルートのフレームと救済ルートのフレームとのうちのいずれかのフレームを制御信号（以下に述べる定期監視部１０３からの制御信号）に基づいて回線パッケージ＃１に対して選択的に出力するものである。
【０１１４】
例えば、セレクタ１０８は、隣接パッケージからの上り通常ルートのフレームと上り救済ルートのフレームとのうちの一方のフレームを選択出力する。また、セレクタ１１１は、隣接パッケージからの下り通常ルートのフレームと下り救済ルートのフレームとのうちの一方のフレームを選択出力するものである。
（５−５）定期監視部１０３
定期監視部１０３は、アドレス監視部１０９から定期的に定期監視フレームが入力され、通常ルートの異常発生の有無を監視するものである。この定期監視フレームは、他のユニット＃２〜＃（ｍ１＋ｍ２）の制御パッケージ１によって送信されたフレームに含まれる。具体的には、他のユニット＃２〜＃（ｍ１＋ｍ２）が、フレームのヘッダに、「通信」，「定期監視」，「初期設定」の３種類の識別情報を埋め込む。
【０１１５】
定期監視部１０３は、その送信されたフレームを受信した回線パッケージ＃１の通常ルートにおいて異常が発生したことを検出（判定）した場合、セレクタ１０８，１１１に対する制御信号として切り替え信号を入力する。また、定期監視部１０３は、通常ルートが復旧した場合は、救済ルートから通常ルートに切り替えるための切り替え信号を出力する。従って、通常ルートが継続的に監視されることにより、回線状況に応じた適切な処理が行なわれる。
【０１１６】
この切り替え信号は種々のフォーマットを用いることができる。以下の説明においては、一例として、定期監視部１０３が、受信した定期監視フレームのヘッダに含まれるフレーム種別の識別データを付与しスロット番号と同様にヘッダ内に埋め込まれたフレーム種別の識別データを送信するものとする。
これにより、下位側の制御パッケージ１は、受信フレームのヘッダを参照することにより、フレーム種別が、「通信」，「定期監視」，「初期設定」のうちのいずれかであるかを認識することができる。
【０１１７】
（５−６）セレクタ１０７，１１２
セレクタ１０７，１１２は、ともに、回線パッケージ＃１からバックボード４に対して入力されるフレームについて選択出力するものであり、定期監視部１０３からの制御信号に基づいて回線パッケージ＃１からのフレームをバックボード４に対して選択的に出力するものである。
【０１１８】
例えば、セレクタ１０７は、データ結合部１０５からのフレームを、隣接パッケージの上り通常ルートと上り救済ルートとのうちの一方に選択出力する。また、セレクタ１１２は、下りアドレス処理部１１０からの回線フレームを、隣接パッケージの下り通常ルートと下り救済ルートとのうちの一方に選択出力する。
また、セレクタ１０８，１１１と、セレクタ１０７，１１２とは、いずれも、定期監視部１０３からの制御信号に基づいて、通常ルートから救済ルートへの切り替え又は救済ルートから通常ルートへの切り替えを連動して行なうようになっている。
【０１１９】
（５−７）初期設定処理部１０４
初期設定処理部１０４は、アドレス付加部１０２から初期設定フレームが入力され、回線パッケージ＃１の初期設定フレームを設定するものである。この初期設定処理部１０４が初期設定フレームを入力されたことを知る方法は、他のユニット＃２〜＃（ｍ１＋ｍ２）の制御パッケージ１によって送信されたフレームのヘッダに含まれる「通信」，「定期監視」，「初期設定」の３種類の識別情報を抽出することによる。
【０１２０】
（５−８）上りアドレス処理部（アドレス「＋１」処理部）１０６
上りアドレス処理部１０６は、受信した上り信号のスロット番号を１つインクリメント（カウントアップ）し、インクリメントしたスロット番号を有するフレームを出力するものである。上りアドレス処理部１０６は、定期監視部１０３からの切り替え信号に基づいている。
【０１２１】
（５−９）データ結合部１０５
データ結合部１０５は、回線パッケージ＃１自身の回線フレームと、上りアドレス処理部１０６において１つインクリメントされたスロット番号とを結合するものである。また、データ結合部１０５は、初期設定処理部１０４からの初期設定フレームを回線フレームと結合する。
【０１２２】
（５−１０）アドレス監視部１０９
アドレス監視部１０９は、制御パッケージ１から入力される初期設定フレームおよび定期監視フレームを入力され、これらのフレーム種別を判定し、回線制御部１０１，定期監視部１０３および初期設定処理部１０４のいずれかに対してそのフレームを出力する。具体的には、アドレス監視部１０９は、バックボード４から入力されたフレームのスロット番号が「１」であるか否かを監視又は判定し、スロット番号「１」のフレームが入力されると、そのフレームを回線制御部１０１等に出力する。
【０１２３】
（５−１１）下りアドレス処理部（アドレス「−１」処理部）１１０
下りアドレス処理部１１０は、下り信号のスロット番号を１つデクリメント（カウントダウン）し、デクリメントしたスロット番号を有するフレームを出力するものである。下りアドレス処理部１１０は、アドレス監視部１０９から入力されたフレームのスロット番号が「１」の場合に、下りアドレス処理部１１０に対するフレームとして取り込むとともに、入力されたフレームのスロット番号が「１」でない場合は回線パッケージ＃１自身に対するものではないと判定し、スロット番号を１つデクリメントしてセレクタ１１２を介してバックボード４に入力する。これにより、通常ルートと救済ルートとが選択される。
【０１２４】
（５−１２）実装情報保持部１１３
実装情報保持部１１３は、回線パッケージ＃１および制御パッケージ１が、バックボード４に正常に挿入されているか、又は接続不良等であるかを表す実装情報データが保持されている。実装情報保持部１１３の端子の１本は、正常接続又は異常接続を検出するために、バックボード４のボディにアースされるようになっている。なお、この正常のアースにより、電位の不一致等に基づくノイズ発生が防止される。
【０１２５】
一方、例えば、保守者がパッケージをバックボード４から脱去し、正常に回線パッケージ＃１〜＃ｎ又は制御パッケージ１がバックボード４に挿入されていないときに、切り替え信号の誤動作発生を防止する。
これにより、実装情報保持部１１３は、バックボード４からアース情報（例えば、アースされているか否かを表す情報）を得られ、このアース情報を制御条件に加えている。アース電位の不一致に基づくノイズの発生が防止される。
【０１２６】
（５−１３）パッケージ障害処理部１１４
パッケージ障害処理部１１４は、回線パッケージ＃１〜＃ｎ自身に障害が発生したときの処理内容を保持するものであって、論理値「１」を出力するものである。具体的には、パッケージ障害処理部１１４は、その障害時に、ＯＲ回路１１５、１１６を通って、この図８に示すバックボード４の各スイッチを切り替える。この状態においては、バックボード４と回線パッケージ＃１〜＃ｎとが電気的に切断され、隣接パッケージからバックボード４に入力された信号は、スルーされて故障した回線パッケージ＃１〜＃ｎのいずれかに取り込まれずに、隣接パッケージに入力され、スロット７の回線パッケージ＃１〜＃ｎのいずれかが脱去されているのと同一状態になる。従って、下位側の回線パッケージ＃２〜＃ｎの通信は正常に維持される。
【０１２７】
（５−１４）切り替え動作
ＯＲ回路１１５において、実装情報保持部１１３およびパッケージ障害処理部１１４の両方から出力されたフレームが論理和されて初期設定処理部１０４に対して入力される。また、ＯＲ回路１１６において、ＯＲ回路１１５からのデータと初期設定処理部１０４からのデータとが論理和され、その論理和データが、バックボード４に対して出力される。
【０１２８】
ここで、ＯＲ回路１１５，１１６が設けられている理由は、切り替え論理をローアクティブ（Ｌｏｗ  Ａｃｔｉｖｅ）で用いているためである。具体的には、切り替えにより、隣接パッケージのバックボード４から入力される信号を回線パッケージ＃１〜＃ｎに入力する場合（インサービス時）の論理値については、実装情報保持部１１３からの実装情報がロー（実装されている）であり、パッケージ障害処理部１１４からのパッケージ障害がロー（異常なし）であり、また、初期設定処理部１０４からの初期設定がロー（初期設定完了）である。一方、バックボード４からの信号をスルーさせる場合（アウトサービス時）の論理は、実装情報，パッケージ障害および初期設定は、それぞれ、ハイ（実装されていない），ハイ（異常あり）およびハイ（初期設定されていない）である。
【０１２９】
従って、バックボード４の信号が回線パッケージ＃１〜＃ｎ自身側に入力されるときは、３種類の信号が全てローになって回線パッケージ＃１〜＃ｎへのサービスインが可能になった状態に相当する。また、３種類の信号のうちのいずれか１つがハイの場合は、論理和の出力がハイになり、バックボード４の各スイッチは、信号がスルーする状態に切り替えられたままである。
【０１３０】
（６）バックボード４の構成
（６−１）スイッチ１１７〜１２４
図８に示すバックボード４は、スイッチ１１７〜１２４，１３４を有する。これらのうちのスイッチ１３４を除くスイッチ１１７〜１２４の切り替えは、バックボード４に設けられた回線パッケージ＃１〜＃ｎ又は制御パッケージ１によって行なわれる。回線パッケージ＃１〜＃ｎは、回線パッケージ＃１〜＃ｎ自身の障害を監視し、障害を検出すると、各スイッチ１１７〜１２４を切り替えるのである。具体的には、回線パッケージ＃１〜＃ｎの初期設定処理部１０４が、ＯＲ回路１１６に切り替え信号を入力することにより、切り替えられる。
【０１３１】
なお、制御パッケージ１による場合の切り替えは、後述する。
各スイッチ１１７〜１２４は、入出力端子「ａ」と内部入出力端子「ｂ」と外部入出力端子（バイパス端子）「ｃ」とを設けたスイッチ１１７〜１２４を有する（以下、これらを端子「ａ」，端子「ｂ」，端子「ｃ」と略称する。）。各スイッチ１１７〜１２４は、通常時においては端子「ａ」からの信号をパッケージ側の端子「ｂ」に出力し、また、障害発生時においては端子「ａ」からの信号を隣接パッケージに接続された端子「ｃ」に出力する。
【０１３２】
（６−２）スイッチ１３４
スイッチ１３４は、回線パッケージ＃１〜＃ｎを２重化（又は３以上の多重化）するために競合を排除するためのものである。ここで、回線パッケージ＃１〜＃ｎは、いずれかのスロット７に挿入でき、かつ動作可能なので、複数のスロット７にそれぞれ回線パッケージ＃１〜＃ｎが設けられた場合は、回線パッケージ＃１〜＃ｎのうちの１枚をバックボード４の信号を取得するために特定する必要がある。すなわち、スイッチ１３４は、切り替えによって、図８に示す回線パッケージ＃１〜＃ｎ以外の他の回線パッケージ＃１〜＃ｎから入力された現用系信号を、特定の１枚の回線パッケージ＃１に取り込むようにしなければならない。
【０１３３】
なお、この場合、他の回線パッケージ＃１〜＃ｎから現用系信号が入力されると、回線パッケージ＃１自身は現用系として動作するための権利（アクティブ権利）を取得できない。
（６−２）バックボード４および隣接パッケージ間のインターフェース
バックボード４および隣接パッケージ間は、カスケードケーブル１１と、このカスケードケーブル１１と脱着可能な１又は複数のケーブルコネクタ（図示省略）とによって接続されており、これらのカスケードケーブル１１および複数のケーブルコネクタが通常ルート又は救済ルートとして機能している。
【０１３４】
ここで、バックボード４の符号１２５，１２９（符号を付したもの）はともに下り通常ルートの信号線であり、符号１２６，１３０はともに上り通常ルートの信号線であり、また、符号１２７，１３１はともに下り救済ルートの信号線であり、符号１２８，１３２はともに上り救済ルートの信号線である。符号１３３，１３５，１３６はともにカスケードケーブル１１との接続インターフェースである。
【０１３５】
そして、これらの信号線が、基本ユニット＃１に隣接するユニット＃２と電気的に接続された伝送線路部として機能している。また、切り替え回路１４が、回線パッケージ＃１〜＃ｎ又は制御パッケージ１（パッケージ部）にて検出された異常の状態に基づいて、パッケージ部と伝送線路部との電気的接続又は電気的切断をスロット７毎に切り替える。
【０１３６】
（６−３）隣接バックボード４間の接続関係
図９は本発明の第１実施形態に係るバックボード４間の接続関係を説明するための図であり、基本ユニット＃１〜最下位増設ユニット＃（ｍ１＋ｍ２）の各バックボード４が接続されている（カスケードケーブル１１の表示は省略している）。また、この図９に示すもので上述したものと同一符号を有するものは、上述したものと同一のものである。
【０１３７】
また、基本ユニット＃１に設けられたスイッチ１１７ａ，１１９ａ，１２１ａ，１２３ａは、いずれも、上記スイッチ１１７，１１９，１２１，１２３（図８参照）の端子「ａ」が、カスケードケーブル１１に接続されバックボード４に設けられた上位コネクタ９（ＣＮ）に接続されている。
さらに、最下位増設ユニット＃（ｍ１＋ｍ２）に設けられたスイッチ１１８ａ，１２０ａ，１２２ａ，１２４ａは、いずれも、上記スイッチ１１８，１２０，１２２，１２４の端子「ａ」が、カスケードケーブル１１に接続されバックボード４の後部に設けられた下位コネクタ（ＣＮ）１０に接続されている。
【０１３８】
そして、スイッチ１２３ａ，１１７ａ，１２０，１２２において、入力された信号は、回線パッケージ＃１〜＃ｎ（又は制御パッケージ１）への入力、又は隣接パッケージに対するスルーのいずれかを選択される。同様に、スイッチ１２１ａ，１１９ａ，１１８，１２４において、回線パッケージ（又は制御パッケージ１）＃１〜＃ｎから出力された信号と隣接パッケージからの信号とのうちのいずれか一方が選択出力される。
【０１３９】
また、最下位増設ユニット＃（ｍ１＋ｍ２）における各スイッチも、基本ユニット＃１の各スイッチと同様に切り替えするので、重複した説明を省略する。
さらに、バックボード４の各スイッチは、いずれも、スロット７に挿入されるパッケージ種別にかかわらず、同一の切り替え処理を行ない、スロット番号が自動的に付与される。これにより、保守者は、回線パッケージ＃１〜＃ｎを、制御パッケージ１寄りから順番にバックボード４に設置する必要がなくなる。
【０１４０】
また、このように、保守者は、回線パッケージ＃１〜＃ｎおよび制御パッケージ１を、スロット７の位置又は設置順番を意識せずに、挿入できかつ脱去できる。
（７）回線パッケージ＃１〜＃ｎにおける処理
回線インターフェース１００（図８参照）からの上り信号は、アドレス付加部１０２においてスロット番号に「１」を付加される。隣接パッケージの上り通常ルート１３０からのフレームは、バックボード４のスイッチ１２０の端子「ａ」から端子「ｂ」を通って回線パッケージ＃１に入力される。なお、以下の説明において、端子「ａ」から端子「ｂ」を（ａ→ｂ）のように表記する。
【０１４１】
そして、アドレス処理部１０６においてスロット番号が１つインクリメントされ、そのスロット番号を有するフレームはデータ結合部１０５において回線パッケージ＃１自身の回線フレームと結合される。また、バックボード４のスイッチ１１９（ｂ→ａ），上り通常ルート１２６を通り、隣接パッケージに送信される。一方、制御パッケージ１の下り通常ルート１２５からのフレームは、バックボード４のスイッチ１１７（ａ→ｂ）を通って回線パッケージ＃１に入力され、アドレス監視部１０９においてスロット番号の値が「１」であるか否かについて判定される。
【０１４２】
この値が「１」であれば、回線パッケージ＃１は回線パッケージ＃１自身に対するフレームとして取り込み、そして、回線パッケージ＃１自身に対するものではない場合は、アドレス処理部１１０において、フレームのスロット番号が１つデクリメントされ、デクリメントされたフレームは、スイッチ１１８（ｂ→ａ）を通って下り通常ルート１２９の隣接パッケージに送信される。
【０１４３】
これに対して、回線パッケージ＃１自身に対するフレームが、通信データの場合は、通信データが、回線制御部１０１を介して、回線インターフェース１００に出力される。回線パッケージ＃１自身に対するフレームが、初期設定フレームの場合は、初期設定処理部１０４に通知されて回線パッケージ＃１が設定される。
【０１４４】
さらに、回線パッケージ＃１自身に対するフレームが、定期監視フレームの場合は、そのフレームは、定期監視部１０３に送信される。そして、この定期監視部１０３において、定期的に定期監視フレームが入力され、現在の通常ルートが異常になっていないか否かについて確認される。
ここで、通常ルートにおいて異常が検出された場合は、セレクタ１０７，１０８，１１１，１１２のそれぞれを切り替えて、救済ルートに切り替えられる。
【０１４５】
一方、救済ルートにおいて異常が検出された場合は、通常ルートに切り替えられる。さらに、下り救済ルート１３１からのフレームは、スイッチ１２１，１２２において、信号線のパッケージ側（ａ→ｂ）への入力、又はバイパス（ａ→ｃ）のいずれかに切り替えられる。ここで、上り救済ルート１２８からのフレームは、スイッチ１２３，１２４において、信号線のパッケージ側（ａ→ｂ）への入力、又はバイパス（ａ→ｃ）のいずれかに切り替えられる。
【０１４６】
また、バックボード４のスイッチ１１７〜１２４は、それぞれ、回線パッケージ＃１〜＃ｎの実装情報保持部１１３とパッケージ障害処理部１１４と初期設定部１０４との協働制御により、信号線をパッケージ内部側（ａ→ｂ）又はバイパス（ａ→ｃ）側のいずれかに切り替えられる。
また、スイッチ１３４は、スロット７に制御パッケージ１が挿入されたときに用いられるものであり、回線パッケージ＃１〜＃ｎが挿入されているときは、バイパス方向（ａ→ｃ）にされて制御パッケージ１間の上位優先信号を通知する。
【０１４７】
（８）制御パッケージ１の構成
図１０は本発明の第１実施形態に係る制御パッケージ１のブロック図であり、バックボード４の機能ブロックも併せて表示されている。この図１０に示す制御パッケージ１は、上位回線インターフェース５０と、上位回線インターフェース制御部５１と、アドレス削除部５２と、回線パッケージ監視部５３と、外部記憶装置５４と、回線パッケージ制御部５５と、アドレス付加部５６と、現用系制御部（アクティブ系制御部）６０と、データ結合部６１と、実装情報保持部５７と、パッケージ障害処理部５８と、ＯＲ回路５９とをそなえて構成されている。
【０１４８】
（８−１）上位回線インターフェース５０
上位回線インターフェース５０は、上位回線（ＷＡＮ）からのフレームと回線収容装置９０のフレームとを終端し、回線収容装置９０およびＷＡＮをインターフェースするものである。
（８−２）上位回線インターフェース制御部５１
上位回線インターフェース制御部５１は、上位回線インターフェース５０において終端された通常ルート用の制御フレーム又は救済ルート用の制御フレームについての通常ルート用のスロット番号又は救済用スロット番号を割り当てし、スロット番号を出力するものである。
【０１４９】
（８−３）アドレス付加部５６
アドレス付加部５６は、上位回線インターフェース５０から出力されたスロット番号と、回線パッケージ制御部５５，回線パッケージ監視部５８から出力された初期設定フレーム又は定期監視フレーム等の制御フレームとを入力され、その制御フレームに、スロット番号，アドレスを付加し、下り通常ルートおよび下り救済ルートに出力するものである。
【０１５０】
これにより、上位回線からの制御フレームが下り側に設けられた他の制御パッケージ１に入力される。
（８−４）データ結合部６１
データ結合部６１は、データ結合機能と、フレーム種別識別機能とを有する。
ここで、データ結合機能とは、回線パッケージ＃１〜＃ｎからの上り通常ルート７５経由のデータと、回線パッケージ＃１〜＃ｎからの上り救済ルート７３経由のデータとを結合又は多重することである。さらに、フレーム種別識別機能とは、その多重フレームのフレーム種別（通信用，制御用又は監視用）を抽出しこの抽出フレームが通信用の場合は通信用フレームをアドレス削除部５２に入力し、抽出フレームが制御用の場合は制御用フレームを回線パッケージ制御部５５に入力し、そして、抽出フレームが監視用の場合は監視用フレームを回線パッケージ監視部５３に入力するものである。
【０１５１】
（８−５）アドレス削除部５２
アドレス削除部５２は、データ結合部６１から出力された多重フレームのフレーム種別が通信データの場合に、通信データに含まれるスロット番号を削除して上位回線インターフェース制御部５１に出力するものである。
（８−６）回線パッケージ制御部５５
回線パッケージ制御部５５は、他のユニット＃２〜＃（ｍ１＋ｍ２）から送信された新規の例えば回線パッケージ＃（ｎ＋１）の設置位置情報等を含む制御フレームを上りルート（上り通常ルートおよび上り救済ルート）から受信するものである。具体的には、回線パッケージ制御部５５は、データ結合部６１を介して、上り救済ルートおよび上り通常ルートから送信された上記の制御フレームに含まれる、他のユニット＃２〜＃（ｍ１＋ｍ２）における例えば初期化を契機（第１の契機）として通知される新規の回線パッケージ＃（ｎ＋１）の設置情報を認識するものである。
【０１５２】
これにより、回線パッケージ制御部５５は、上りルートからのフレームに含まれる情報に基づいて、例えば「何パッケージ目に位置する回線パッケージであるか」等を認識する。
また、他のユニット＃２〜＃（ｍ１＋ｍ２）は、上りルートからの障害発生の検出を契機（第２の契機）として制御フレームを通知するようになっており、この場合、回線パッケージ制御部５５が受信する制御フレームは、その障害に関する情報を含む。これにより、障害に関する情報が、各ユニットおよび各増設ユニットに対して通知されるのである。
【０１５３】
（８−７）外部記憶装置５４
外部記憶装置５４は、回線パッケージ制御部５５から出力された他のユニット＃２〜＃（ｍ１＋ｍ２）の回線パッケージ＃１〜＃ｎの設置位置情報等を保持するものである。そして、回線パッケージ制御部５５は、上りルートからの制御フレームに含まれる他のユニット＃２〜＃（ｍ１＋ｍ２）の回線パッケージ＃１〜＃ｎの設置位置情報とこの外部記憶装置５４の保持内容とに基づいて他のユニット＃２〜＃（ｍ１＋ｍ２）の回線パッケージ＃１〜＃ｎの設置情報を認識する。
【０１５４】
（８−８）回線パッケージ監視部５３
回線パッケージ監視部５３は、定期監視フレームを回線パッケージ＃２〜＃ｎに対して送信する。一方、回線パッケージ＃２〜＃ｎは、定期監視フレームを継続受信することにより、通常ルートの正常を確認し、必要な場合は異常を検出する。回線パッケージ＃１は、この定期監視フレームに対する応答を制御パッケージ１に返し、これにより、制御パッケージ１は、通常ルートの正常と回線パッケージ＃１の正常とを確認するようになっている。
【０１５５】
（８−９）現用系制御部６０
現用系制御部６０は、バックボード４に設けられた各スイッチを連動させて切り替えるものである。具体的には、現用系制御部６０は、通常動作時には、上りと下りとの各ルートから入力される信号を制御パッケージ１側に入力するように各スイッチを切り替えるとともに、障害発生時には、入力される信号をそのまま隣接するバックボード４側に通過（スルー）させるように各スイッチを切り替える。この場合、現用系制御部６０は、以下に述べるパッケージ障害処理部５８等により制御されることにより、各スイッチを切り替える。
【０１５６】
なお、この現用系制御部６０は、基本ユニット＃１が複数の制御パッケージ１を設けた冗長構成をとる場合に用いることもできる。具体的には、現用系制御部６０は、複数の制御パッケージ１のうちの１枚の制御パッケージ１を現用系制御パッケージ１として選択する。冗長構成については、後述する第２実施形態において説明する。
【０１５７】
（８−１０）ＯＲ回路５９，実装情報保持部５７，パッケージ障害処理部５８パッケージ障害処理部５８は、図１０に示す制御パッケージ１自身に障害が発生した場合、ＯＲ演算するＯＲ回路５９を通ってバックボード４の各スイッチを連動して切り替えて、これにより、上りと下りとの各ルートから制御パッケージ１側に入力される信号線を切断（電気的切断）し、バックボード４内に入力された信号をスルーにするものである。そして、パッケージ障害処理部５８が、制御パッケージ１に障害が発生したときに論理値「１」を出力すると、ＯＲ回路５９において、その論理値「１」と実装情報保持部５７からのデータとが、ともに、現用系制御部６０に入力される。
【０１５８】
これにより、パッケージ障害が発生すると、バックボード４に入力される隣接するバックボード４からの信号がスルーとなって、制御パッケージ１（障害パッケージ）が脱去されているのと同一状態になる。従って、バックボード４の信号が、壊れた制御パッケージ１をスルーし、制御パッケージ１の下位側の回線パッケージ＃１〜＃ｎの通信が正常に維持される。
【０１５９】
（８−１１）切り替え動作
制御パッケージ１における切り替え動作も、（５−１４）において説明した動作とほぼ同一であり、切り替え論理をローアクティブで用いている。
ＯＲ回路５９において、実装情報保持部５７およびパッケージ障害処理部５８の両方から出力されたデータが論理和され、その論理和データが、現用系制御部６０に入力される。そして、切り替えにより、インサービス時の論理は、実装情報，パッケージ障害が、それぞれ、ロー（実装されている），ロー（異常なし）である。一方、アウトサービス時の論理は、実装情報，パッケージ障害は、それぞれ、ハイ（実装されていない），ハイ（異常あり）である。
【０１６０】
従って、バックボード４の信号が制御パッケージ１側に入力される状態は、両信号がともにローになって制御パッケージ１へのサービスインが可能になった状態である。また、両信号の少なくとも一方がハイの場合は論理和出力がハイになってバックボード４の各スイッチは信号スルーのままになる。
（９）制御パッケージ１のバックボード４の構成
（９−１）スイッチ６２〜６９
図１０に示すバックボード４に設けられたスイッチ６２，６３，６４，６５，６６，６７，６８，６９は、それぞれ、図８に示すスイッチスイッチ１１７，１１８，１１９，１２０，１２１，１２２，１２３，１２４とほぼ同様な機能を有する。これらのスイッチ６２〜６９のうちのスイッチ６２，６４，６７，６９は、それぞれ、スロット７に回線パッケージ＃１〜＃ｎが挿入されたときにその回線パッケージ＃１〜＃ｎが動作できるように設けられている。各スイッチ６２〜６９は、制御パッケージ１によって切り替えられる。なお、スイッチ６３，６５，６６，６８は、いずれも、後述する。
【０１６１】
なお、この制御パッケージ１のスロット７に、回線パッケージ＃１〜＃ｎのいずれかが挿入された場合は、その回線パッケージ＃１〜＃ｎが回線パッケージ＃１〜＃ｎ自身の障害を監視でき、また、制御パッケージ１（又は回線パッケージ＃１〜＃ｎ）およびバックボード４の切り替えも可能である。
（９−２）スイッチ７９
スイッチ７９は、制御パッケージ１を２重化（又は３以上の多重化）するためのものである。また、複数のスロット７にそれぞれ制御パッケージ１を挿入するために、複数の制御パッケージ１のうちの１枚が、バックボード４からの信号を取得するために特定される必要がある。このため、スイッチ７９は、切り替えによって、図１０に示す制御パッケージ１以外の他の制御パッケージ１から入力された現用系のルート１７８を、特定の１枚の制御パッケージ１に取り込む。
【０１６２】
（１０）制御パッケージ１における処理
図１０に示す上位回線インターフェース５０からの下り通信データは、上位回線インターフェース制御部５１を介して、アドレス付加部５６に入力される。一方、回線パッケージ制御部５５において、外部記憶装置５４に保持された回線パッケージ＃１〜＃ｎのスロット番号が読み出される。そして、アドレス付加部５６において、下り通信データと、外部記憶装置５４から得られた通常ルート用のスロット番号とが付加される。ここで、符号１７０，１７１，１７６，１７７，１８０は、いずれも、通常ルート又は救済ルート（信号線）を表す。
【０１６３】
さらに、スロット番号を付与された下り通信データは、バックボード４のスイッチ６３の（ｂ→ａ）を通って下り通常ルート１７４から隣接する回線パッケージ＃２に対して出力される。なお、（ｂ→ａ）は端子「ｂ」から端子「ａ」を表す。
この下り通信データの出力とともに、アドレス付加部５６において、外部記憶装置５４および回線パッケージ制御部５５から抽出された救済ルート用のスロット番号が下り通信データに付加され、そのスロット７を付加された下り通信データが、バックボード４のスイッチ６６の（ｂ→ａ）を通って下り救済ルート１７２から、所望の他の回線パッケージ＃１〜＃ｎに対して出力される。
【０１６４】
次に、回線パッケージ＃１〜＃ｎからの上り通常ルート１７５のフレームは、バックボード４のスイッチ６５（ａ→ｂ）を介して制御パッケージ１のデータ結合部６１に入力され、また、上り救済ルート１７３からのフレームは、スイッチ６８（ａ→ｂ）を通ってデータ結合部６１に入力され、データ結合部６１において多重される。
【０１６５】
そのフレーム種別が通信データの場合は、アドレス削除部５２においてスロット番号が削除され、上位回線インターフェース制御部５１を介して、上位回線インターフェース５０から出力される。
一方、フレーム種別が制御データの場合は、その制御データは、回線パッケージ制御部５５に取り込まれる。制御フレームが出力される契機は、新規に回線パッケージ＃（ｎ＋１）が挿入されたとき、又はエラー等の情報通知が必要になったときである。そして、回線パッケージ＃（ｎ＋１）の新規挿入の場合は、制御フレーム（制御用のフレーム）に含まれる回線パッケージ＃（ｎ＋１）の設置位置によって、回線パッケージ制御部５５は、回線パッケージ制御部５５自身が、何パッケージ目に設けられているかを認識する。
【０１６６】
また、フレーム種別が監視フレームの場合は、フレームは、回線パッケージ監視部５３に取り込まれる。回線パッケージ監視部５３は、定期的に監視フレームを回線パッケージ＃１〜＃ｎに対して送信し、回線パッケージ＃１〜＃ｎは、この送信された監視フレームについての定期監視フレームを継続的に受信することにより通常ルートの正常を確認する。回線パッケージ＃１〜＃ｎは、この定期監視フレームに対する応答を制御パッケージ１に転送する。
【０１６７】
これにより、制御パッケージ１は、通常ルートの正常と回線パッケージ＃１〜＃ｎの正常とを確認できる。
（１１）各パッケージの接続位置の認識方法
図１に示す制御パッケージ１は、回線パッケージ＃１〜＃ｎにもバックボード４にも機構的な収容位置番号を用いずに通信する。
【０１６８】
回線パッケージ＃１〜＃ｎは、制御パッケージ１方向（上り）にフレームを出力する場合は、自らのフレームのスロット番号を「１」にして出力する。そして、その上り信号を受信した隣接回線パッケージ＃１〜＃ｎは、スロット番号の値を１つインクリメントして上り方向に出力する。
その上り信号が制御パッケージ１に到着したとき、スロット番号の値を見ることにより、制御パッケージ１から何番目に位置する回線パッケージ＃１〜＃ｎからのフレームかを認識する。
【０１６９】
そして、制御パッケージ１が回線パッケージ方向（下り）にフレームを出力する場合は、対応する回線パッケージ＃１〜＃ｎのスロット番号をフレーム内に格納する。下り信号を受信した例えば回線パッケージ＃２は、スロット番号の値が「１」であれば、自分自身に対するフレームとして取り込み、また、「１」以外であれば値を１つデクリメントして、下り方向にいる回線パッケージ＃１に出力する。
【０１７０】
このように、制御パッケージ１は、機構的な回線パッケージ番号を用いないので、回線パッケージ＃（ｎ＋１）の増設数に制限がないスケーラビリティーがある設計ができ、ユニークな番号管理による柔軟な回線制御ができる。
（１２）スロット番号のインクリメント処理およびデクリメント処理
本発明の回線収容装置９０は、各回線パッケージ＃１〜＃ｎが、スロット番号を含むフレームを受信するとそのスロット番号を動的に変更（インクリメント又はデクリメント）し、その変更後のスロット番号をフレームに書き込みし、隣接する回線パッケージ＃２又は制御パッケージ１に送信する。
【０１７１】
この変更処理について上りおよび下りの両方向について、図１１，図１２および図１３，図１４をそれぞれ参照して説明する。また、図１１，図１３にそれぞれ示す符号で、上述したものと同一符号を有するものは、それらと同一のもの又は同一機能を有するものである。
（１３）上り方向への伝送
図１１は本発明の第１実施形態に係る上り信号のインクリメント処理を説明するための図であり、この図１１に示すバックボード４の５枚の回線パッケージ＃１〜＃５から制御パッケージ１側にフレームが伝送している。
【０１７２】
ここで、回線パッケージ＃１〜＃ｎにおいて、制御パッケージ１は、上位回線に対するフレームを送信した送信元の回線パッケージ＃１〜＃ｎを、フレームに含まれる回線番号に基づいて特定する。また、制御パッケージ１は、各回線パッケージ＃１〜＃ｎにおいて制御パッケージ１自身に対するフレーム実装フレーム又は信号）に含まれる回線番号のインクリメント処理により送信元の回線パッケージ＃１〜＃ｎを特定する。すなわち、実装フレームが、基本ユニット＃１３の制御パッケージ１に到達したときのスロット番号（ＳＬＯＴ−Ｎｏ．）を用いて、制御パッケージ１は、制御パッケージ１自身から何スロット目にいるかを認識できる。
【０１７３】
さらに、回線パッケージ＃１〜＃５は、受信した制御パッケージ１に対するフレームと回線パッケージ＃１〜＃５自身から制御パッケージ１に対して送信するフレームとを各フレームの回線番号を識別可能に多重する。
これにより、回線パッケージ＃１〜＃５が挿入されると、回線パッケージ＃１〜＃５は、スロット番号を「１」にし、自ら実装フレームを制御パッケージ１に対して出力する。このフレームを受信した隣接する回線パッケージ＃１〜＃５は、スロット番号を１つインクリメントして隣接する回線パッケージ＃１〜＃５に送信する。
【０１７４】
また、図１２は本発明の第１実施形態に係る上り方向の制御パッケージ１および回線パッケージ＃１〜＃ｎ間の通信方法を説明するためのフローチャートであり、ユーザＡ又はユーザＢ（後述する図１５参照）がそれぞれ例えば電子メールデータ（メールデータ）を回線パッケージ＃１〜＃ｎに送信した場合の処理フローが示されている。
【０１７５】
ここで、ユーザＡがメールデータを回線パッケージ＃３に送信し（ステップＡ１）、回線パッケージ＃３が、回線インターフェースを介してそのメールデータを受信すると（ステップＡ２）、回線パッケージ＃３は、その上りメールデータにスロット番号（ＳＬＯＴ−Ｎｏ．）「１」を付加し、その付加したメールデータを制御パッケージ１に送信する（ステップＡ３）。さらに、回線パッケージ＃３は、そのメールデータを受信すると、スロット番号「１」を１つインクリメントしスロット番号「２」のメールデータを制御パッケージ１側に送信する（ステップＡ４）。また、回線パッケージ＃１も、回線パッケージ＃２と同様にスロット番号「３」のメールデータを制御パッケージ１に送信する（ステップＡ５）。
【０１７６】
そして、制御パッケージ１は、回線パッケージ＃１からのメールデータを受信すると、スロット番号「３」を抽出し、３台手前の回線パッケージ＃３からのメールデータと認識し（ステップＡ６）、そのメールデータを上位回線に送信する（ステップＡ７）。
また、ユーザＢがメールデータを回線パッケージ＃１〜＃ｎに送信した場合（ステップＢ１）も、回線パッケージ＃１〜＃ｎがそのメールデータを受信すると（ステップＢ２）、その上りメールデータのスロット番号「１」にして制御パッケージ１側に送信し（ステップＢ３）、さらに、回線パッケージ＃１は、スロット番号「２」のメールデータを制御パッケージ１に送信する（ステップＢ４）。
そして、制御パッケージ１は、メールデータのスロット番号「２」から、回線パッケージ＃１〜＃ｎからのメールデータと認識し（ステップＢ５）、そのメールデータを上位回線に送信する（ステップＡ７）。
【０１７７】
従って、制御パッケージ１が、上位回線に対する信号を送信した送信元の回線パッケージ＃１〜＃ｎを、フレームに含まれる回線番号に基づいて特定するように構成されたことになる。
このように、各回線パッケージ＃１〜＃ｎは、受信したフレームのスロット番号が回線パッケージ＃１〜＃ｎ自身に対するものか否かを識別することにより、フレームを中継できる。
【０１７８】
（１４）下り方向への伝送
一方、図１３は本発明の第１実施形態に係る下り信号のデクリメント処理を説明するための図であり、この図１３に示す制御パッケージ１側から回線パッケージ＃１〜＃５の方向にフレームが伝送している。
ここで、回線パッケージ＃１〜＃ｎは、フレームに含まれる回線番号に基づいて、制御パッケージ１から回線パッケージ＃１〜＃ｎ自身に対するフレームを識別するようになっている。具体的には、回線パッケージ＃１〜＃ｎは、制御パッケージ１および回線パッケージ＃１〜＃ｎ自身間の各回線パッケージ＃１〜＃ｎにおいてデクリメント処理された回線番号に基づいて、回線パッケージ＃１〜＃ｎ自身に対するフレームを識別する。
【０１７９】
さらに、回線パッケージ＃１〜＃ｎは、制御パッケージ１から回線パッケージ＃１〜＃ｎ自身に対するフレームと、制御パッケージ１から他の回線パッケージ＃１〜＃ｎに対するフレームとが多重された多重フレームについて、多重フレームに含まれる各フレームの回線番号を用いて分離する。
また、回線パッケージ＃１〜＃ｎは、分離した他の回線パッケージ＃１〜＃ｎに対するフレームに含まれる回線番号をデクリメントして他の回線パッケージ＃１〜＃ｎに対して送信する。
【０１８０】
また、図１４は本発明の第１実施形態に係る上り方向の制御パッケージ１および回線パッケージ＃１〜＃ｎ間の通信方法を説明するためのフローチャートである。
ここで、図１４に示す制御パッケージ１が、上位回線インターフェースからユーザＡ宛のメールデータを受信すると（ステップＣ１）、ユーザＡについての回線パッケージ＃３を認識し、受信した下りメールデータのスロット番号（ＳＬＯＴ−Ｎｏ．）を「３」にして回線パッケージ＃２に送信する（ステップＣ２）。回線パッケージ＃２はこのメールデータを受信しスロット番号「３」を認識すると、回線パッケージ＃２自身宛でないことを認識し、スロット番号を１つデクリメントしたスロット番号「２」のメールデータを出力し（ステップＣ３）、回線パッケージ＃２も同様に処理してスロット番号「１」のメールデータを出力する（ステップＣ４）。回線パッケージ＃３は、メールデータのスロット番号「１」を認識しそのメールデータを取り込み（ステップＣ５）、メールデータからスロット番号を脱去してユーザＡに対してメールデータを送信し（ステップＣ６）、ユーザＡはそのメールを受信する（ステップＣ７）。
【０１８１】
また、制御パッケージ１が、ユーザＢ宛のメールデータを受信した場合も、ユーザＡ宛の処理と同様に、ユーザＢ宛に、スロット番号「２」のメールデータを送信し（ステップＤ１）、回線パッケージ＃１はスロット番号を「１」にしたメールデータを送信する（ステップＤ２）。回線パッケージ＃２は、メールデータのスロット番号「１」を認識しそのメールデータを取り込み（ステップＤ３）、スロット番号を脱去したメールデータをユーザＢに対して送信し（ステップＤ４）、ユーザＢはそのメールを受信する（ステップＤ５）。
【０１８２】
このように、上りおよび下りの両方向について、フレームのスロット番号がインクリメント処理又はデクリメント処理され、各回線パッケージ＃１〜＃ｎは、スロット番号の参照だけしてフレームを中継する。従って、各回線パッケージ＃１〜＃ｎは、スロット番号以外の情報を参照せずにフレーム処理できる。
このため、基本ユニット＃１は、例えばスロット番号を表現するビット数を増加させることにより、回線パッケージの増設台数に関して制限なしに増設できる。例えば、ビット数が３の場合は処理可能な回線パッケージ数の上限は８台であるが、ビット数を８にすることにより、２５６台の回線パッケージ数を処理できる。
【０１８３】
また、本発明の回線収容装置９０は、電話回線とＷＡＮ等の上位回線との間において信号を送受信する複数のユニット＃１〜＃（ｍ１＋ｍ２）をそなえたものである。回線収容装置９０は、回線番号を付与され電話回線とフレームを終端処理する回線パッケージ基板＃１〜＃（ｎ−１）と、回線パッケージ基板＃１〜＃（ｎ−１）に付与した回線番号に基づいて回線パッケージ基板＃１〜＃（ｎ−１）の設置情報を管理し回線パッケージ基板＃１〜＃（ｎ−１）のうちのいずれかの回線パッケージ基板の異常を検出しうる制御パッケージ基板１と、複数の回線パッケージ基板および制御パッケージ基板１と結合し電気的に接続された複数のスロット７と各ユニット＃１〜＃（ｍ１＋ｍ２）に隣接する他のユニット＃１〜＃（ｍ１＋ｍ２）と電気的に接続された信号線とを有する複数のバックボード４と、制御パッケージ１にて検出された異常の状態に基づいて、バックボード４の制御パッケージ１のスロット７と信号線との電気的接続又は電気的切断をスロット毎に切り替える切り替え回路１４とをそなえている。
【０１８４】
さらに、制御パッケージ１複数のバックボード４のうちの１台のバックボード４と、そのバックボード４に設けられたスロット７の個数以下の枚数の回線パッケージ＃１〜＃（ｎ−１）と、制御パッケージ１とのそれぞれが基本ユニット＃１〜＃（ｍ１＋ｍ２）として構成されている。
そして、複数のバックボード４のうちの１台のバックボード４と、この１台のバックボード４に設けられたｎ本のスロット７の個数以下の枚数の回線パッケージ＃１〜＃（ｎ−１）とのそれぞれが増設ユニット＃１〜＃（ｍ１＋ｍ２）として構成されている。
【０１８５】
（１５）回線収容システム
図１５は本発明の第１実施形態に係る回線収容システムの概略的な構成図である。この図１５に示す回線収容システム７０は、ユーザが加入者電話回線を介してインターネット接続し、また、他のユーザとの間においてメール等のデータを送受信するシステムである。この図１５に示す回線収容システム７０は、例えばｊ系統（ｊは自然数を表す。）の加入者通信装置７２と、ｊ本の伝送路７５と、回線収容装置９０と、上位回線インターフェース装置７４と、インターネット７１と、ｋ系統（ｋは自然数を表す。）の加入者通信装置７２とをそなえて構成されている。
【０１８６】
これらの加入者通信装置７２は、それぞれ、ユーザ宅，企業，学校又は官庁に設けられ回線収容装置９０にアクセスするものであって、ユーザが情報データを入出力操作する端末７２ａと、この端末７２ａおよび回線収容装置９０間の伝送フレームを終端する宅内終端装置７２ｂとをそなえて構成されている。
ここで、宅内終端装置７２ｂおよび端末７２ａ間のフレーム伝送速度は比較的に低い。これに対して、宅内終端装置７２ｂおよび回線収容装置９０間のフレーム伝送速度はきわめて高速である。このため、回線収容装置９０は、異なる伝送速度を調製している。すなわち、宅内終端装置７２ｂは、回線収容装置９０からの高速伝送するフレームをバッファメモリ（図示省略）に格納し、伝送速度を低くしたフレームをｊ台の端末７２ａに対して送信する。この一方、宅内終端装置７２ｂは、ｊ台の端末７２ａからの低速なフレームを多重しその多重フレームを回線収容装置９０側に送信する。また、インターネット７１を介して対向するｋ系統の加入者通信装置７２についても同様である。
【０１８７】
なお、以下、ｊ台およびｋ台の端末７２ａが接続された各回線収容装置９０をそれぞれ、第１回線収容装置９０および第２回線収容装置９０と称する。この逆にすることも可能である。
さらに、ｊ本の伝送路７５およびｋ本の伝送路７５はフレームを高速伝送するものであり、ｊ本およびｋ本の伝送路７５の一端は、いずれも、第１回線収容装置９０および第２回線収容装置９０に集線されている。
【０１８８】
また、上位回線インターフェース装置７４は、ルータ（図示省略），ＬＡＮ又はＷＡＮ等から構成されるインターネット７１に接続されている。ここで、ルータは、ＩＰ［Ｉｎｔｅｒｎｅｔ  Ｐｒｏｔｏｃｏｌ］プロトコルが適用されたフレームを、ＩＰアドレスに基づいて転送又はスイッチするものである。
これにより、各加入者通信装置７２は、インターネット７１を介して相互にメールデータ等を送受信する。
【０１８９】
（１６）動作説明
このような構成によって、本発明の第１実施形態に係る回線増設方法について図１５，図１６を参照して詳述する。
一例として、ユーザＡが、第１回線収容装置９０（図１５参照）に接続された端末７２ａを用いて対向する第２回線収容装置９０のユーザＣに対してメールを送信するものとして説明する。ユーザＡから出力されたデータは、第１回線収容装置９０において集線される。
【０１９０】
図１６は本発明の第１実施形態に係る回線収容装置（第１回線収容装置）９０におけるデータフローを説明するための図である。この図１６に示す回線パッケージ＃１，＃２は、それぞれ、回線インターフェースであって、この回線パッケージ＃１，＃２の機能は、図１５に示す伝送路７５および加入者通信装置７２によって発揮される。また、図１５に示す上位回線インターフェース装置７４が、図１６に示す制御パッケージ１が接続される上位回線インターフェースとして機能している。なお、バックボード４に設けられるスイッチの表記を省略している。
【０１９１】
そして、制御パッケージ１において、上位回線インターフェース装置７４（図１５参照）からの下り信号は、上位回線インターフェース格納部４００ａを介して、データ分離部４０１に入力される。このデータ分離部４０１は、データを送信する回線パッケージ＃１の動作状態（通常状態又は障害状態）に基づいて、下り通常ルート用のカスケードケーブル１１ａ又は下り救済ルート用のカスケードケーブル１５ｂを選択する。
【０１９２】
（１６−１）下り信号
次に、図１５に示すユーザＣが、ユーザＡに対してフレームを送信し、そのフレームが、インターネット７１，上位回線インターフェース装置７４をそれぞれ介して、回線収容装置９０に入力される。ここで、下り信号の送信先が、例えばユーザＡを収容する回線パッケージ＃１の場合、下り通常ルート用のカスケードケーブル１１ａに出力された下り信号は、回線パッケージ＃１のデータ分離部（通常時）４０５ａに入力され、データ分離部（通常時）４０５ａにてスロット番号等が取り除かれ、回線インターフェースブロック４０３を通って、下り回線インターフェース（図１５に示す伝送路７５，加入者通信装置７２）に出力される。
【０１９３】
また、下り信号の送信先が例えば回線パッケージ＃２の場合は、回線パッケージ＃１のデータ分離部（通常時）４０５ａから下り通常ルート用のカスケードケーブル１１ａを介して、回線パッケージ＃２のデータ分離部（通常時）４０５ａに入力され、回線インターフェースブロック４０３を介して、ユーザＡ側の下り回線インターフェースに出力される。
【０１９４】
さらに、下り信号の送信先が例えば回線パッケージ＃２以降の各回線パッケージ＃３〜＃（ｎ−１）である場合は、下り信号は、回線パッケージ＃２のデータ分離部（通常時）４０５ａから回線パッケージ＃３（図示省略）のデータ分離部（通常時）４０５ａに入力され、下りルート（通常）用のカスケードケーブル１１ａを経由して回線パッケージ＃３以降の各回線パッケージ＃３〜＃（ｎ−１）に対して送信される。
【０１９５】
（１６−２）次に、制御パッケージ１において、データ分離部４０１から下りルート（救済）用のカスケードケーブル１５ｂの送信先が、回線パッケージ＃３の場合については次のようになる。回線パッケージ＃３は、カスケードケーブル１５ｂを介して下位側から送信されてきたフレームを回線パッケージ＃３の下りルート（救済）用のカスケードケーブル１５ｂを介して、データ分離部（救済時）４０５ｂに入力され、その下りフレームは、回線インターフェースブロック４０３を通って、下り回線インターフェースに出力される。
【０１９６】
また、下り信号の送信先が回線パッケージ＃１の場合は、回線パッケージ＃２のデータ分離部（救済時）４０５ｂから、回線パッケージ＃１に接続された下りルート（救済）用のカスケードケーブル１５ｂを介して、回線パッケージ＃１のデータ分離部（救済時）４０５ｂに入力され、そのデータは、回線インターフェースブロック４０３を介して、下り回線インターフェースに出力される。
【０１９７】
（１６−３）上り信号
図１５に示すユーザＡが、ユーザＣに対してメールデータ等を送信した場合は、ユーザＡからのメールデータは、他のユーザから送信されたファイルデータ等と多重されて第１回線収容装置９０に入力される。
回線パッケージ＃１において、回線インターフェースからの上り信号は、回線インターフェースブロック４０３に入力される。ここで、回線パッケージ＃１の動作が通常である場合は、上り信号は、回線パッケージ＃１のデータ多重部（通常）４０４ａに入力され、その上り信号と回線パッケージ＃１から上り側の上り信号（通常）１１ｂとが多重される。そして、多重データは、回線パッケージ＃１の上りルート（通常）を介して、回線パッケージ＃１のデータ多重部（通常時）４０４ａに入力され、このデータ多重部（通常時）４０４ａにおいて、多重データと回線パッケージ＃１から制御パッケージ１に送信される上り信号とがさらに多重され、上りルート（通常）１５ｂを介して、制御パッケージ１のデータ多重部４０２に入力される。
【０１９８】
そして、制御パッケージ１のデータ多重部４０２において、上りルート（通常）用のカスケードケーブル１１ｂのデータと、上りルート（救済）用のカスケードケーブル１５ａのデータとが多重され、その多重データは、上位回線インターフェース格納部４００ａを経由して上位回線インターフェースに出力される。
一方、回線パッケージ＃１が救済時の場合は、上り信号は、回線パッケージ＃２のデータ多重部（救済）４０５ｂに入力され、上りルート（救済）１５ａを介して、回線パッケージ＃２のデータ多重部（救済時）４０５ｂに入力され、データ多重部（救済時）４０４ｂにおいて上り信号と回線パッケージ＃１の上り信号（救済）４１８とが多重され、この多重データは、回線パッケージ＃１に接続された上りルート（救済）４２２を介して、回線パッケージ＃５以降の各回線パッケージ＃１〜＃ｎに対して送信される。
【０１９９】
さらに、救済状態にある最下流の回線パッケージ＃ｎのデータを多重したモジュールは、制御パッケージ１に接続された上り信号（救済）４１６を介して、制御パッケージ１のデータ多重部４０２に入力される。このデータ多重部４０２において、上りルート（通常）４１５のデータと上りルート（救済）４１６のデータとが多重され、その多重データは、上位回線インターフェース格納部４００ａを経由して上位回線インターフェース装置７４に出力される。
【０２００】
このように、本発明の回線収容装置９０およびパッケージ番号認識方法を用いることにより、回線パッケージ＃１〜＃ｎと制御パッケージ１との間に設けられた信号線の数が減少し、各パッケージがバス接続した場合と同一の効果を得られる。
そして、各回線パッケージ＃１〜＃ｎは、それぞれ、隣接するパッケージとのみ電気的接続され、１対１接続のようになって、信号波形の劣化を回避できる。
また、スロット番号を認識する機構的な要素を排除することで、回線パッケージ＃１〜＃ｎの数の制限がなくなる。従って、１対１接続とバス接続との優れた点を両方そなえることができる。
【０２０１】
制御パッケージ１と回線パッケージ＃１〜＃ｎと間の通信において、機構的な回線パッケージ番号が用いられないので、回線パッケージ＃（ｍ１＋１）〜＃（ｍ１＋ｍ２）の増設数に制限がないスケーラビリティーな設計ができ、かつ柔軟な回線制御ができる。
（Ｂ）本発明の第２実施形態の説明
本発明の回線収容装置は、現用および予備用の２枚以上の制御パッケージ１を設けて、障害発生に対応する冗長構成にすることもできる。
【０２０２】
図１７は本発明の第２実施形態に係る冗長構成を考慮した回線収容装置の構成図であって、この図１７に示す基本ユニット＃９１は、基本ユニット＃１と同一機能を有し、また、制御パッケージ１ａ，１ｂが、バックボード４のスロット７（１，２と付されたもの）にそれぞれ挿入されている。そして、（ｎ−２）枚の回線パッケージ＃２〜＃（ｎ−２）が設けられている。各パッケージは、それぞれ、カスケードケーブル１１，１５の接続による回線増設されるようになっている。なお、この図１７および以下に示す図１８のそれぞれに示す符号のうちの上述したものと同一符号を有するものは、それらと同一のもの又は同一機能を有するものである。
【０２０３】
以下、冗長構成について詳述する。
バックボード４のスイッチ６２，６４，６７，６９は、いずれも、基本ユニット＃１のスロット７に回線パッケージ＃１〜＃ｎが挿入されたときにおいても使用できるように設けられている。
なお、基本ユニット＃１においてスロット７に制御パッケージ１が複数設けられた場合は、冗長構成をとることができる。このため、複数の制御パッケージ１は、それぞれ、自パッケージの実装情報保持部５７とパッケージ障害処理部５８とを介して、現用系制御部６０において、制御信号を相互に送受信することにより、現用系の制御権を競って獲得する。この制御信号は、入出力信号であり、通常は、入力側に向かって現用系の制御パッケージ１が存在している場合は、現用系制御信号を出力しない。一方、現用系制御部６０は、現用系である制御パッケージ１が存在しない場合にのみ現用系制御信号を出力する。
【０２０４】
そして、現用系制御信号を入力されると、制御パッケージ１方向（ａ→ｂ）にバックボード４の信号線が切り替えられて、予備系の制御パッケージ１は、信号線をバイパス（ａ→ｃ）するようにスイッチ６３，６５，６６，６８が切り替えられる。
また、図１０に示すバックボード４のスイッチ７９は、バックボード４に制御パッケージ１が複数設けられた場合に用いられる。バックボード４のスロット７に回線パッケージ＃１が設けられているとき、又は何も回線パッケージ＃１が設けられない場合は、バイパス方向（ａ→ｃ）に回路が切り替わる。
【０２０５】
これに対して、スロット７に制御パッケージ１が設けられる場合は、現用系制御部６０からの信号に基づいて、パッケージ方向（ａ→ｂ）に回路が切り替わる。制御パッケージ１は、上位優先制御信号を現用ルート（信号線）１８１において出力する。
上位制御パッケージ１からの優先制御信号は、現用ルート（信号線）１７８を介して、スイッチ７９から現用系制御部６０に入力される。
【０２０６】
上位に位置する制御パッケージ１が現用系における優先権を有し、優先制御により制御パッケージ１同士が現用系信号をアサート又はディアサートすることにより冗長機能が実現される。
また、図１８は本発明の第２実施形態に係る基本ユニット９１のブロック図である。この図１８に示す２枚の制御パッケージ１ａ，１ｂが設けられた状態において、回線収容装置は、例えば制御パッケージ１ａが選択された状態で、運用が開始する。
【０２０７】
ここで、ユーザの増加等によって、基本ユニット＃１の回線パッケージ＃１〜＃（ｎ−１）が処理可能な回線数が増加した場合は、保守者は、増設ユニット＃１，＃２を設置し、この回線パッケージ＃１，＃２の追加によって回線増設される。
また、基本ユニット＃９１の下位コネクタ１０と、増設ユニット＃１の上位コネクタ９とをカスケードケーブル１１を用いて接続することにより、通常ルートが延長され、バックボード４の信号線を延長させる。さらに、基本ユニット＃９１の上位コネクタ９と、末端の増設ユニット＃（ｍ１＋ｍ２）の下位コネクタ１０とをカスケードケーブル１５を用いて接続することにより、救済ルートを確立する。
【０２０８】
次に、保守者は、基本ユニット＃９１のバックボード４に、制御パッケージ１ａ，１ｂを挿入する。この基本ユニット＃９１の２個のスロット７のそれぞれに設けられた制御パッケージ１ａ，１ｂの設置により、冗長構成をとることができる。
この冗長構成についてさらに詳述すると、現用系制御部６０は、制御パッケージ１自身のパッケージ情報を保持する実装情報保持部５７の保持データと、障害発生時の制御パッケージ１の処理を行なうパッケージ障害処理部５８とに基づいて、図示を省略するが同一の制御パッケージ１を複数有する基本ユニット＃１に設けられた複数の制御パッケージ１に対して、制御信号を用いて、現用系として動作するための権利（アクティブ権利）を取り合うように制御する。また、この制御信号は、入出力信号であり、通常の処理として、現用系の制御パッケージ１が設けられていない場合にのみ現用系信号が出力され、現用系の制御パッケージ１が動作している場合、現用系信号は出力されない。
【０２０９】
このような構成によって、まず、初期化後において、現用の制御パッケージが選択される。制御パッケージ１ａ，１ｂ同士で現用系制御権を取り合うことにより、制御パッケージ１ａ，１ｂの切り替えが実現される。
具体的には、基本ユニット＃９１および他のユニット（図示省略）に、制御パッケージ１が複数設けられ、複数の制御パッケージ１のうちの現用制御パッケージ１が、複数の制御パッケージ１の設置情報に基づく優先度フレームの送受信により選択される。すなわち、制御権の取得動作が行なわれた後に、制御パッケージ１が選択される。
【０２１０】
また、基本ユニット＃９１以外の例えばユニット＃２〜＃ｍ１のいずれのユニットをも冗長構成にし、２枚又はそれ以上の枚数の制御パッケージ１ａ，１ｂ（又は１）を予め設けるようにしてもよい。
このように、基本ユニット＃９１に故障等の異常が発生した場合、又は保守点検時は、現用制御パッケージ１ａから予備用の制御パッケージ１ｂに切り替えられ、回線切断が回避される。
【０２１１】
なお、回線収容装置９０は、カスケードケーブル１１の断線が発生したときにおいて、救済ルートとしてのカスケードケーブル１５を用いて無停止通信状態を確保できるので、冗長構成を用いることにより、一層高い信頼性を有する回線収容サービスが提供できる。
（１７）効果の説明
本発明は、スロット番号をインクリメント／デクリメント処理しているので、スロット番号を表現できるビット数を増やすことにより、増設する回線パッケージ＃１〜＃ｎの数は、制限がなくなる。具体的には、スロット番号のビット数が１０ビットになると最大１０２４枚を増設でき、２０ビットにすると最大１０４８５７６枚を増設できる。
【０２１２】
従って、通信事業者からの回線増設の要求に対して、容易にかつ低コストで回線増設が可能となる。
例えば、従来回線収容装置９０で、機構的なパッケージ番号を４ピンの信号を用いて判別する場合、１６枚の回線パッケージしか増設できない。
（１７−１）回線パッケージ＃１〜＃ｎの増設数に関係なく制御パッケージ１／カスケードケーブル１１内の通信信号の数は一定であるので、回線収容装置９０の設計が容易である。
【０２１３】
例えば、従来回線収容装置９０で、各回線パッケージ＃１〜＃ｎと制御パッケージ１が１対１接続する信号線が１本必要とする。その場合は、増設する回線パッケージ＃１〜＃ｎの個数が１００とすると、カスケードケーブル１１に１００本の信号線を配線しなければならない。本発明は、隣接パッケージ間において終端しているので、増設する回線パッケージ＃１〜＃ｎの個数によって信号線が増加することはない。
【０２１４】
（１７−２）増設ユニット＃（ｍ１＋１）〜＃（ｍ１＋ｍ２）は、制御パッケージ１を必要としないので、通信事業者は、増設ユニット＃（ｍ１＋１）〜＃（ｍ１＋ｍ２）を設置する毎に回線単価を低減できる。例えば、制御パッケージ１の単価が１００万円、回線パッケージの単価が２０万円とし、回線パッケージ＃１の回線数が４０チャンネルとする。回線単価は、以下の表１に示すように変動する。
【０２１５】
【表１】
2004349890.tif 000003
【０２１６】
（１７−３）増設ユニット＃（ｍ１＋１）〜＃（ｍ１＋ｍ２）に制御パッケージ１が設けられないために、回線収容装置９０の制御が簡易である。例えば、増設ユニットごとに制御パッケージ１が搭載してある場合、各制御パッケージ１は、自らが何番目のスロット７に位置しており、上位の制御パッケージ１との関係でどう動作すべきかを設計しなければならない。これに加えて、冗長構成における制御パッケージ１の制御は、相当複雑なものになる。さらに、増設ユニットの制御パッケージ１の故障により、その制御下の回線パッケージが通信異常に陥ることが回避できる。
【０２１７】
（１７−４）制御パッケージ１を複数枚設けることで、冗長構成が可能になる。本発明は、制御パッケージ１をどのスロットに何枚でも設けることを可能としており、より自在な冗長構成がとれる。
（１７−５）救済ルートを確立することにより、通常ルート障害時、回線の無停止通信を可能にする。例えば、従来回線収容装置９０では、救済ルートが確立していないために、通常ルートで断線等が発生すると、断線を修復しない限り通信は、復旧できない。
【０２１８】
これに対して、本発明は、救済ルートが確立しているために、通常ルートの断線等が発生しても、救済ルートに切り替わることにより無停止通信を実現できる。
（Ｃ）その他
本発明は、上述した実施態様およびその変形態様に限定されるものでは、なく、本発明の趣旨を逸脱しない範囲で、種々変形して実施できる。
【０２１９】
上述した説明において、異常を検出する異常検出機能は、制御パッケージ１に設けるほかに、回線パッケージ＃１〜＃ｎに設けることもできる。さらに、異常検出機能だけを特化したモジュールを設けることもでき、設置場所等を考慮して回線収容装置９０を構成することもできる。
また、上記の制御パッケージ，回線パッケージ＃１〜＃ｎ等の配置順番，配置位置，識別用のスロット番号「１」，数値例等は、実施時において、種々変更して使用されるものである。
【０２２０】
各パッケージの名称についても、制御パッケージおよび回線パッケージ＃１〜＃ｎはともにスイッチパッケージおよび加入者パッケージと称されることもある。
バックボード４と各パッケージ基板との電気的接続方法は、バックボード４の金属ピン（又は導電性の細長い部分）と、各パッケージ基板の回路パターンとが接触する方法等、種々の接続方法を用いることができる。
【０２２１】
これらの変更が行なわれた回線収容装置およびチャネルユニットを用いた場合であっても、本発明の優位性をなんら損なうものでもない。
（Ｄ）付記
（付記１）  少なくとも１本の通信回線とフレームを送受信するチャネルユニットであって、
該通信回線と複数のフレームを終端処理するとともに異常を検出しうるパッケージ部と、
該パッケージ部と電気的に切断された状態で結合し該チャネルユニットに隣接する他のチャネルユニットと電気的に接続された伝送線路部と、
該パッケージ部にて検出された異常の状態に基づいて、該パッケージ部と該伝送線路部との電気的接続又は電気的切断を切り替える切り替え部とをそなえて構成されたことを特徴とする、チャネルユニット。
【０２２２】
（付記２）  少なくとも１本の通信回線とフレームを送受信するチャネルユニットであって、
識別番号を付与され第１の通信回線と複数のフレームを終端処理する回線パッケージ部と、
該回線パッケージ部に付与した該識別番号に基づいて該回線パッケージ部の設置情報を管理し異常を検出しうる制御パッケージ部と、
該回線パッケージ部および該制御パッケージ部と電気的に切断された状態で結合する複数の結合部を有し該チャネルユニットに隣接する他のチャネルユニットと電気的に接続された伝送線路部と、
該制御パッケージ部にて検出された異常の状態に基づいて、該回線パッケージ部又は該制御パッケージ部と該伝送線路部との電気的接続又は電気的切断を切り替える切り替え部とをそなえて構成されたことを特徴とする、チャネルユニット。
【０２２３】
（付記３）  該回線パッケージ部と該制御パッケージ部とが、
該伝送線路部の複数の結合部を共用するように構成されたことを特徴とする、付記２記載のチャネルユニット。
（付記４）  少なくとも１本の通信回線とフレームを送受信する複数のチャネルユニットをそなえた回線収容装置であって、
該複数のチャネルユニットのうちの第１チャネルユニットが、
該通信回線と複数のフレームを終端処理するとともに異常を検出しうるパッケージ部と、
該パッケージ部と電気的に切断された状態で結合し該複数のチャネルユニットのうちの該チャネルユニットに隣接する第２チャネルユニットと電気的に接続された伝送線路部と、
該パッケージ部にて検出された異常の状態に基づいて、該パッケージ部と該伝送線路部との電気的接続又は電気的切断を切り替える切り替え部とをそなえて構成されたことを特徴とする、回線収容装置。
【０２２４】
（付記５）  少なくとも１本の通信回線とフレームを送受信する複数のチャネルユニットをそなえた回線収容装置であって、
識別番号を付与され第１の通信回線と複数のフレームを終端処理する複数の回線パッケージ部と、
該複数の回線パッケージ部に付与した該識別番号に基づいて該複数の回線パッケージ部の設置情報を管理し該複数の回線パッケージ部のうちのいずれかの回線パッケージ部の異常を検出しうる制御パッケージ部と、
該複数の回線パッケージ部および該制御パッケージ部と電気的に切断された状態で結合する複数の結合部を有し各チャネルユニットに隣接する他のチャネルユニットと電気的に接続された複数の伝送線路部と、
該制御パッケージ部にて検出された異常の状態に基づいて、各回線パッケージ部又は該制御パッケージ部と該複数の伝送線路部との電気的接続又は電気的切断を切り替える切り替え部とをそなえるとともに、
該複数の伝送線路部のうちの１台の伝送線路部と、該複数の結合部の個数以下の個数の回線パッケージ部と、該制御パッケージ部とのそれぞれが基本チャネルユニットとして構成されたことを特徴とする、回線収容装置。
【０２２５】
（付記６）  該複数の伝送線路部のうちの１台の伝送線路部と、該複数の結合部の個数以下の個数の回線パッケージ部とのそれぞれが増設チャネルユニットとして構成されたことを特徴とする、付記５記載の回線収容装置。
（付記７）  該複数の伝送線路部が、第１のルートを介して、該複数のチャネルユニットのうちの隣接するチャネルユニット間において電気的に接続されるとともに、
該複数のチャネルユニットのうちの最下位のチャネルユニットと、該複数のチャネルユニットのうちの最上位のチャネルユニットとが、第２のルートを介して、電気的に接続されて構成されたことを特徴とする、付記６記載の回線収容装置。
【０２２６】
（付記８）  該制御パッケージ部が、
該複数の回線パッケージ部のそれぞれに対して送信した監視フレームについての応答フレームに基づいて異常を検出する検出部と、
該検出部にて検出された異常の位置よりも下位の回線パッケージ部とのルートを、該第１のルートから該第２のルートに切り替えるルート切り替え部とをそなえて構成されたことを特徴とする、付記７記載の回線収容装置。
【０２２７】
（付記９）  該制御パッケージ部が、
該第２のルートに出力するフレームに書き込む第１識別番号の順番を、該第１のルートに出力するフレームに含まれる第２識別番号の順番と逆に付与するように構成されたことを特徴とする、付記８記載の回線収容装置。
（付記１０）  該制御パッケージ部が、
該複数の回線パッケージ部のそれぞれとの通信によって、該複数の回線パッケージ部のそれぞれについての識別番号を付与するように構成されたことを特徴とする、付記５記載の回線収容装置。
【０２２８】
（付記１１）  該制御パッケージ部が、
第２の通信回線宛のフレームを送信した送信元の回線パッケージ部を、該フレームに含まれる識別番号に基づいて特定するように構成されたことを特徴とする、付記１０記載の回線収容装置。
（付記１２）  該制御パッケージ部が、
各回線パッケージ部において該制御パッケージ部宛のフレームに含まれる識別番号のインクリメント処理により該送信元の回線パッケージ部を特定するように構成されたことを特徴とする、付記５記載の回線収容装置。
【０２２９】
（付記１３）  該回線パッケージ部が、
受信した該制御パッケージ部宛のフレームと該回線パッケージ部自身から該制御パッケージ部宛に送信するフレームとを、各フレームの識別番号を用いて識別できるように多重して送信するように構成されたことを特徴とする、付記５記載の回線収容装置。
【０２３０】
（付記１４）  該回線パッケージ部が、
該フレームに含まれる識別番号に基づいて、該制御パッケージ部から該回線パッケージ部自身に宛てられたフレームを識別するように構成されたことを特徴とする、付記１３記載の回線収容装置。
（付記１５）  該回線パッケージ部が、
該制御パッケージ部および該回線パッケージ部自身間の各回線パッケージ部においてデクリメント処理された該識別番号に基づいて、該回線パッケージ部自身に宛てられたフレームを識別するように構成されたことを特徴とする、付記１４記載の回線収容装置。
【０２３１】
（付記１６）  該回線パッケージ部が、
該制御パッケージ部から該回線パッケージ部自身に宛てられたフレームと、該制御パッケージ部から他の回線パッケージ部に宛てられたフレームとが多重された多重フレームについて、該多重フレームに含まれる各フレームの識別番号を用いて分離するように構成されたことを特徴とする、付記１４記載の回線収容装置。
【０２３２】
（付記１７）  該回線パッケージ部が、
分離した該他の回線パッケージ部に宛てられたフレームに含まれる識別番号をデクリメントして該他の回線パッケージ部宛に送信するように構成されたことを特徴とする、付記１６記載の回線収容装置。
（付記１８）  該制御パッケージ部が複数設けられた場合、現用の制御パッケージは、各制御パッケージの設置情報に基づく優先度フレームの送受信により選択されるように構成されたことを特徴とする、付記５記載の回線収容装置。
【０２３３】
（付記１９）  該基本チャネルユニットの伝送線路部と、該増設チャネルユニットの伝送線路部とが共用されて構成されたことを特徴とする、付記６記載の回線収容装置。
（付記２０）  少なくとも１本の通信回線とフレームを送受信する複数のチャネルユニットをそなえた回線収容装置であって、
回線番号を付与され第１の通信回線と複数のフレームを終端処理する複数の回線パッケージ基板と、
該複数の回線パッケージ基板に付与した該回線番号に基づいて該複数の回線パッケージ基板の設置情報を管理し該複数の回線パッケージ基板のうちのいずれかの回線パッケージ基板の異常を検出しうる制御パッケージ基板と、
該複数の回線パッケージ基板および該制御パッケージ基板と電気的に切断された状態で結合する複数のスロットを有し各チャネルユニットに隣接する他のチャネルユニットと電気的に接続された複数のバックワイヤードボードと、
該制御パッケージ基板にて検出された異常の状態に基づいて、各回線パッケージ基板又は該制御パッケージ基板と該複数のバックワイヤードボードとの電気的接続又は電気的切断を切り替える切り替え回路とをそなえ、
該複数のバックワイヤードボードのうちの１台のバックワイヤードボードと、該スロットの個数以下の枚数の回線パッケージ基板と、該制御パッケージ基板とのそれぞれが基本チャネルユニットとして構成されるとともに、
該複数のバックワイヤードボードのうちの１台のバックワイヤードボードと、該複数のスロットの個数以下の枚数の回線パッケージ基板とのそれぞれが増設チャネルユニットとして構成されたことを特徴とする、回線収容装置。
【０２３４】
（付記２１）  少なくとも１本の通信回線とフレームを送受信する複数のチャネルユニットをそなえた回線収容装置におけるパッケージ番号認識方法であって、
回線番号を付与され第１の通信回線と複数のフレームを終端処理する回線パッケージ部の設置を検出するパッケージ部設置検出ステップと、
該複数の回線パッケージ基板に付与した該回線番号に基づいて該複数の回線パッケージ基板の設置情報を管理し該複数の回線パッケージ基板のうちのいずれかの回線パッケージ基板の異常を検出しうる制御パッケージ基板が、該パッケージ部設置検出ステップにて検出された該回線パッケージ部と結合された結合部の識別番号を認識する第１認識ステップと、
該回線パッケージ部が、該識別番号認識ステップにて認識された該識別番号を変更する識別番号変更ステップと、
該回線パッケージ部が、該識別番号変更ステップにて変更された識別番号を含むフレームを、該回線パッケージ部と異なる側の隣接する他の回線パッケージ部に送信する送信ステップとをそなえたことを特徴とする、パッケージ番号認識方法。
【０２３５】
【発明の効果】
以上、詳述したように、本発明のチャネルユニット，回線収容装置およびパッケージ番号認識方法によれば、以下のような効果ないし利点がある。
（１）本発明のチャネルユニットによれば、少なくとも１本の通信回線とフレームを送受信するチャネルユニットであって、通信回線とフレームを終端処理するとともに異常を検出しうるパッケージ部と、チャネルユニットに隣接する他のチャネルユニットと電気的に接続された伝送線路部と、パッケージ部にて検出された異常の状態に基づいて、パッケージ部と伝送線路部との電気的接続又は電気的切断を切り替える切り替え部とをそなえて構成されているので、例えば、機構的なスロット番号の割り当てによって生ずるスロット番号のスキップを回避でき、回線パッケージおよび制御パッケージの管理が容易になる。また、通信事業者からの回線増設の要求に対して、容易にかつ低コストで回線増設可能になる。
【０２３６】
（２）本発明のチャネルユニットによれば、通信回線とフレームを終端処理するとともに異常を検出しうるパッケージ部と、パッケージ部と結合し電気的に接続された結合部とチャネルユニットに隣接する他のチャネルユニットと電気的に接続された接続部とを有するパッケージ固定部と、パッケージ部にて検出された異常の状態に基づいて、パッケージ固定部の結合部と接続部との電気的接続又は電気的切断を切り替える切り替え部とをそなえて構成されているので、増設する回線パッケージ数の制限が除かれ多数のユーザを収容可能になる。
【０２３７】
（３）パッケージ部が、識別番号を付与され第１の通信回線とフレームを終端処理する回線パッケージ部と、回線パッケージ部に付与した識別番号に基づいて回線パッケージ部の設置情報を管理し回線パッケージ部の異常を検出しうる制御パッケージ部とをそなえて構成されてもよく、このようにすれば、回線パッケージ数にかかわらず信号線の数の増加を防止でき、ノイズの発生を回避できる。
【０２３８】
（４）回線パッケージ部と制御パッケージ部とが、パッケージ固定部の結合部を共用するように構成されてもよく、このようにすれば、信号線の数を一定にでき装置の設計が容易になる。
（５）本発明の回線収容装置によれば、複数のチャネルユニットのうちの第１チャネルユニットが、通信回線とフレームを終端処理するとともに異常を検出しうるパッケージ部と、第１チャネルユニットに隣接する第２チャネルユニットと電気的に接続された伝送線路部と、パッケージ部にて検出された異常の状態に基づいて、パッケージ部と伝送線路部との電気的接続又は電気的切断を切り替える切り替え部とをそなえて構成されているので、増設数の増大にともなって回線単価を安価にできる。
【０２３９】
（６）本発明の回線収容装置によれば、複数のチャネルユニットのうちの第１チャネルユニットが、通信回線とフレームを終端処理するとともに異常を検出しうるパッケージ部と、パッケージ部と結合し電気的に接続された結合部と第１チャネルユニットに隣接する第２チャネルユニットと電気的に接続された接続部とを有するパッケージ固定部と、パッケージ部にて検出された異常の状態に基づいて、パッケージ固定部の結合部と接続部との電気的接続又は電気的切断を切り替える切り替え部とをそなえて構成されているので、信号線の数を少なくし、かつ信号波形の劣化を回避できる。
【０２４０】
（７）パッケージ部が、識別番号を付与され第１の通信回線とフレームを終端処理する回線パッケージ部と、回線パッケージ部に付与した識別番号に基づいて回線パッケージ部の設置情報を管理し回線パッケージ部の異常を検出しうる制御パッケージ部とをそなえて構成されてもよく、このようにすれば、増設ユニットの数を大幅に拡張できる。
【０２４１】
（８）本発明の回線収容装置によれば、複数の回線パッケージ部と、制御パッケージ部と、複数のパッケージ固定部と、電気的接続又は電気的切断を切り替える切り替え部とをそなえるとともに、第１パッケージ固定部と、回線パッケージ部と、制御パッケージ部とのそれぞれが基本チャネルユニットとして構成されているので、低コストで柔軟な回線制御が図れ、回線収容装置の管理を簡易化し、さらに、回線救済による無停止通信状態を確保できる。
【０２４２】
（９）パッケージ固定部と、回線パッケージ部とのそれぞれが増設チャネルユニットとして構成されてもよく、このようにすれば、増設ユニットは、制御パッケージを不要にでき、回線収容装置の制御が簡易になる。例えば増設ユニットは上位側の制御パッケージとの間の動作等の困難な設計を回避できる。特に、冗長構成時の制御方法が大幅に簡素化される。さらに、制御下の回線パッケージにおける通信異常を回避できる。
【０２４３】
（１０）複数のパッケージ固定部と第２チャネルユニットとが、第１の通信ルートを介して電気的に接続されるとともに、複数のチャネルユニットのうちの最下位のチャネルユニットと複数のチャネルユニットのうちの最上位のチャネルユニットとが、第２の通信ルートを介して電気的に接続されて構成されてもよく、このようにすれば、救済ルートにより回線の無停止通信が実現できる。
【０２４４】
（１１）制御パッケージ部が、第１の通信ルートから第２の通信ルートに切り替えるルート切り替え部とをそなえて構成されてもよく、このようにすれば、やはり、断線時における通信が維持され無停止通信状態を確保できる。
（１２）制御パッケージ部が、インクリメント処理により送信元の回線パッケージ部を特定するように構成されてもよく、このようにすれば、隣接する回線パッケージがない場合においても回線パッケージを抜去できる。
【０２４５】
（１３）回線パッケージ部が、デクリメント処理によりフレームを識別するように構成されてもよく、このようにすれば、上りおよび下りのそれぞれについて、救済用および通常用の各ルートを設定できる。
（１４）制御パッケージ部が複数設けられ、複数の制御パッケージ部のうちの現用制御パッケージ部が、複数の制御パッケージ部の設置情報に基づく優先度フレームの送受信により選択されるように構成されてもよく、このようにすれば、制御パッケージの設置個所の選択が自在になる。
【０２４６】
（１５）本発明のパッケージ番号認識方法によれば、回線番号を付与され第１の通信回線とフレームを終端処理する回線パッケージ部の挿入を検出する挿入検出ステップと、回線パッケージ部に付与した回線番号に基づいて回線パッケージ部の設置情報を管理し回線パッケージ部の異常を検出しうる制御パッケージ部が、挿入検出ステップにて検出された回線パッケージ部と結合し電気的に接続された結合部の識別番号を認識する第１認識ステップと、回線パッケージ部が、第１認識ステップにて認識された識別番号を変更する識別番号変更ステップと、回線パッケージ部が、識別番号変更ステップにて変更された識別番号を含むフレームを、回線パッケージ部に隣接する他の回線パッケージ部に送信する送信ステップとをそなえているので、通常ルートが断線した場合においても、救済ルートを用いることにより、上りおよび下りの両方向についての通信切断を回避できる。
【図面の簡単な説明】
【図１】本発明の第１実施形態に係る回線収容装置の構成図である。
【図２】（ａ）は本発明の第１実施形態に係る通常ルートを説明するための図であり、（ｂ）は本発明の第１実施形態に係る救済ルートを説明するための図である。
【図３】本発明の第１実施形態に係る基本ユニットのブロック図である。
【図４】本発明の第１実施形態に係る基本ユニットの要部を示す図である。
【図５】（ａ）は本発明の第１実施形態に係る制御パッケージが１枚設けられた場合の回線収容装置の構成例を説明するための図であり、（ｂ）は本発明の第１実施形態に係る制御パッケージが複数枚設けられた場合の回線収容装置の構成例を説明するための図である。
【図６】本発明の第１実施形態に係る通常ルートケーブル断による救済ルートを用いた下りの通信方法を説明するための図である。
【図７】本発明の第１実施形態に係る通常ルートケーブル断による救済ルートを用いた上りの通信方法を説明するための図である。
【図８】本発明の第１実施形態に係る回線パッケージのブロック図である。
【図９】本発明の第１実施形態に係るバックボード間の接続関係を説明するための図である。
【図１０】本発明の第１実施形態に係る制御パッケージのブロック図である。
【図１１】本発明の第１実施形態に係る上り信号のインクリメント処理を説明するための図である。
【図１２】本発明の第１実施形態に係る上り方向の制御パッケージおよび回線パッケージ間の通信方法を説明するためのフローチャートである。
【図１３】本発明の第１実施形態に係る下り信号のデクリメント処理を説明するための図である。
【図１４】本発明の第１実施形態に係る上り方向の制御パッケージおよび回線パッケージ間の通信方法を説明するためのフローチャートである。
【図１５】本発明の第１実施形態に係る回線収容システムの概略的な構成図である。
【図１６】本発明の第１実施形態に係る回線収容装置におけるフレームフローを説明するための図である。
【図１７】本発明の第２実施形態に係る冗長構成を考慮した回線収容装置の構成図である。
【図１８】本発明の第２実施形態に係る基本ユニットのブロック図である。
【図１９】回線収容装置の概略的な構成図である。
【図２０】図１９に示すユニットの外観図である。
【図２１】バックボードに設けられたスロットを説明するための図である。
【図２２】ユニットを背面から見た斜視図である。
【図２３】制御パッケージの異常時の通信状態を説明するための図である。
【符号の説明】
＃１  基本ユニット（基本チャネルユニット，ユニット）
＃２〜＃（ｍ１＋ｍ２），＃９１  ユニット（チャネルユニット）
＃１〜＃（ｎ−１）  回線パッケージ（パッケージ部，回線パッケージ基板）
１，１ａ，１ｂ  制御パッケージ（パッケージ部，制御パッケージ基板）
４，４００  バックボード（パッケージ固定部）
７  スロット（結合部）
９  上位コネクタ
１０  下位コネクタ
１１  カスケードケーブル（第１の通信ルート）
１１ａ，１１ｂ，１５ａ，１５ｂ  カスケードケーブル
１４  切り替え回路（切り替え部）
１５  カスケードケーブル（第２の通信ルート）
３０  回線インターフェース処理部
３１ａ  データ分離部（通常時）
３１ｂ  データ分離部（救済時）
３２  上位回線インターフェース処理部
３３ａ  データ多重部
３３ｂ  データ分離部
５０  上位回線インターフェース
５１  上位回線インターフェース制御部
５２  アドレス削除部
５３  回線パッケージ監視部
５４  外部記憶装置
５５  回線パッケージ制御部
５６  アドレス付加部
６０  現用系制御部（アクティブ系制御部）
６１  データ結合部
５７  実装情報保持部
５８  パッケージ障害処理部
５９  ＯＲ回路
６２〜６９，７９，１１７，１１９，１２１，１２３，１１７ａ，１１９ａ，１２１ａ，１２３ａ，１１８，１２０，１２２，１２４，１１８ａ，１２０ａ，１２２ａ，１２４ａ  スイッチ
７０  回線収容システム
７１  インターネット
７２  加入者通信装置
７２ａ  端末
７２ｂ  宅内終端装置
７４  上位回線インターフェース装置
７５  伝送路
９０  回線収容装置
１００  回線インターフェース
１０１  回線制御部
１０２  アドレス付加部
１０３  定期監視部
１０４  初期設定処理部
１０５  データ結合部
１０６  上りアドレス処理部（第１アドレス処理部）
１０７，１０８，１１１，１１２  セレクタ
１０９  アドレス監視部
１１０  下りアドレス処理部（下りアドレス処理部）
１１３  実装情報保持部
１１４  パッケージ障害処理部
１１５，１１６  ＯＲ回路
３１０  外部ケーブル
４００ａ  上位回線インターフェース格納部
４０１  データ分離部
４０２  データ多重部
４０３，４０８  回線インターフェースブロック
４０４ａ  データ多重部（通常）
４０４ｂ  データ多重部（救済）
４０５ａ  データ分離部（通常時）
４０５ｂ  データ分離部（救済時）
４０９  フレーム多重部（通常）
４１７  上りルート（通常）
【図１】
2004349890.tif 000004
【図２】
2004349890.tif 000005
【図３】
2004349890.tif 000006
【図４】
2004349890.tif 000007
【図５】
2004349890.tif 000008
【図６】
2004349890.tif 000009
【図７】
2004349890.tif 000010
【図８】
2004349890.tif 000011
【図９】
2004349890.tif 000012
【図１０】
2004349890.tif 000013
【図１１】
2004349890.tif 000014
【図１２】
2004349890.tif 000015
【図１３】
2004349890.tif 000016
【図１４】
2004349890.tif 000017
【図１５】
2004349890.tif 000018
【図１６】
2004349890.tif 000019
【図１７】
2004349890.tif 000020
【図１８】
2004349890.tif 000021
【図１９】
2004349890.tif 000022
【図２０】
2004349890.tif 000023
【図２１】
2004349890.tif 000024
【図２２】
2004349890.tif 000025
【図２３】
2004349890.tif 000026